(57)【要約】【課題】水流れの切換における異常時に配管等に作用する高圧を抑制することである。【解決手段】温水が第１入口（21）から第１吸着熱交換器（32）を経て第１出口（22）へ流れると共に冷水が第２入口（23）から第２吸着熱交換器（42）を経て第２出口（24）へ流れる第１状態と、温水が第１入口（21）から第２吸着熱交換器（42）を経て第１出口（22）へ流れると共に冷水が第２入口（23）から第１吸着熱交換器（32）を経て第２出口（24）へ流れる第２状態とになるように水流れを切り換える水回路（20）を備えている。その切換の際に各入口（21,23）と各出口（22,24）とが繋がるバイパス通路（36）を備えている。これにより、各種三方弁（31,33,・・・）とが作動不良を起こしても、冷温水が確実にバイパス通路（36）を通って各出口（22,24）へ流れる。【選択図】  図１
2006284079.tif 000002
【特許請求の範囲】
【請求項１】
吸着剤を有して空気中の水分の吸着と脱離による空気中への水分の放出とを行う第１熱交換器（32）および第２熱交換器（42）が接続され、冷水および温水の水が流れる水回路（20）を備え、
上記水回路（20）は、第１入口（21）より導入された温水が第１熱交換器（32）を通って第１出口（22）へ流れると共に、第２入口（23）より導入された冷水が第２熱交換器（42）を通って第２出口（24）へ流れる第１流れ状態と、第１入口（21）より導入された温水が第２熱交換器（42）を通って第１出口（22）へ流れると共に、第２入口（23）より導入された冷水が第１熱交換器（32）を通って第２出口（24）へ流れる第２流れ状態とに切り換わるように水流れを切り換え、第１熱交換器（32）および第２熱交換器（42）で水分の吸脱着を交互に行う調湿装置であって、
上記水回路（20）は、水流れを切り換える際に、各入口（21,23）と各出口（22,24）とが繋がるバイパス通路を備えている
ことを特徴とする調湿装置。
【請求項２】
吸着剤を有して空気中の水分の吸着と脱離による空気中への水分の放出とを行う第１熱交換器（32）および第２熱交換器（42）が接続され、冷水および温水の何れかの水が流れる水回路（20）を備え、
上記水回路（20）は、入口（21）より導入された水が第１熱交換器（32）を通って出口（22）へ流れる第１流れ状態と、入口（21）より導入された水が第２熱交換器（42）を通って出口（22）へ流れる第２流れ状態とに切り換わるように水流れを切り換え、第１熱交換器（32）および第２熱交換器（42）で水分の吸脱着を交互に行う調湿装置であって、
上記水回路（20）は、水流れを切り換える際に、入口（21）と出口（22）とが繋がるバイパス通路を備えている
ことを特徴とする調湿装置。
【請求項３】
請求項１または２において、
上記バイパス通路は、バイパス遮断弁（37）を有し、第１熱交換器（32）の上流側および下流側の何れかと、第２熱交換器（42）の上流側および下流側の何れかとに接続されている
ことを特徴とする調湿装置。
【請求項４】
請求項１において、
上記水回路（20）は、第１流れ状態と第２流れ状態とに水流れを切り換えるための温水用の入口側切換手段（31）および出口側切換手段（33）と、冷水用の入口側切換手段（41）および出口側切換手段（43）とを備え、
上記バイパス通路は、バイパス遮断弁（37）を有し、温水用の入口側切換手段（31）の上流側と温水用の出口側切換手段（33）の下流側とに接続される温水用のバイパス通路、およびバイパス遮断弁（37）を有し、冷水用の入口側切換手段（41）の上流側と冷水用の出口側切換手段（43）の下流側とに接続される冷水用のバイパス通路の少なくとも何れか一方を備えている
ことを特徴とする調湿装置。
【請求項５】
請求項１において、
上記水回路（20）は、第１流れ状態と第２流れ状態とに水流れを切り換えるための温水用の入口側切換手段（31）および出口側切換手段（33）と、冷水用の入口側切換手段（41）および出口側切換手段（43）とを備え、
上記水流れの切換時に、各出口側切換手段（33,43）を切り換えた後に各入口側切換手段（31,41）を切り換える
ことを特徴とする調湿装置。
【請求項６】
請求項５において、
加湿運転の場合、上記水流れの切換時に、冷水用の出口側切換手段（43）を切り換えた後に温水用の出口側切換手段（33）を切り換える
ことを特徴とする調湿装置。
【請求項７】
請求項５において、
除湿運転の場合、上記水流れの切換時に、温水用の出口側切換手段（33）を切り換えた後に冷水用の出口側切換手段（43）を切り換える
ことを特徴とする調湿装置。
【請求項８】
請求項２において、
上記水回路（20）は、第１流れ状態と第２流れ状態とに水流れを切り換えるための入口側切換手段（31）および出口側切換手段（33）を備え、
上記バイパス通路は、バイパス遮断弁（37）を有し、入口側切換手段（31）の上流側と出口側切換手段（33）の下流側とに接続されている
ことを特徴とする調湿装置。
【請求項９】
請求項２において、
上記水回路（20）は、第１流れ状態と第２流れ状態とに水流れを切り換えるための入口側切換手段（31）および出口側切換手段（33）を備え、
上記水流れの切換時に、出口側切換手段（33）を切り換えた後に入口側切換手段（31）を切り換える
ことを特徴とする調湿装置。
【請求項１０】
吸着剤を有して空気中の水分の吸着と脱離による空気中への水分の放出とを行う第１熱交換器（32）および第２熱交換器（42）が接続され、冷水および温水の水が流れる水回路（20）を備え、
上記水回路（20）は、第１入口（21）より導入された温水が第１熱交換器（32）を通って第１出口（22）へ流れると共に、第２入口（23）より導入された冷水が第２熱交換器（42）を通って第２出口（24）へ流れる第１流れ状態と、第１入口（21）より導入された温水が第２熱交換器（42）を通って第１出口（22）へ流れると共に、第２入口（23）より導入された冷水が第１熱交換器（32）を通って第２出口（24）へ流れる第２流れ状態とに切り換わるように水流れを切り換えるための切換手段（31,33,41,43）を備え、第１熱交換器（32）および第２熱交換器（42）で水分の吸脱着を交互に行う調湿装置であって、
上記水回路（20）は、出口側の切換手段（33,43）よりも上流側に冷水および温水のバッファタンク（39,49）を備えている
ことを特徴とする調湿装置。
【請求項１１】
吸着剤を有して空気中の水分の吸着と脱離による空気中への水分の放出とを行う第１熱交換器（32）および第２熱交換器（42）が接続され、冷水および温水の何れかの水が流れる水回路（20）を備え、
上記水回路（20）は、入口（21）より導入された水が第１熱交換器（32）を通って出口（22）へ流れる第１流れ状態と、入口（21）より導入された水が第２熱交換器（42）を通って出口（22）へ流れる第２流れ状態とに切り換わるように水流れを切り換えるための切換手段（31,33）を備え、第１熱交換器（32）および第２熱交換器（42）で水分の吸脱着を交互に行う調湿装置であって、
上記水回路（20）は、出口側の切換手段（33）よりも上流側に水のバッファタンク（39,49）を備えている
ことを特徴とする調湿装置。
【発明の詳細な説明】
【技術分野】
【０００１】
本発明は、調湿装置に関し、特に、水回路を有してバッチ式の運転動作を行う調湿装置の配管等の保護対策に係るものである。
【背景技術】
【０００２】
従来より、吸着剤と冷凍サイクルとを用いて空気の湿度調節を行う調湿装置が知られている（例えば、特許文献１参照）。
【０００３】
上記調湿装置は、吸着剤を有する２つの吸着素子と冷凍サイクルを行う冷媒回路とを備えている。この調湿装置は、第１の吸着素子で第１空気を除湿すると共に冷媒回路の凝縮器で加熱された第２空気で第２の吸着素子を再生する第１動作と、第２の吸着素子で第１空気を除湿すると共に凝縮器で加熱された第２空気で第１の吸着素子を再生する第２動作とを行う。そして、この２つの動作が交互に繰り返され、除湿した第１空気または加湿した第２空気が室内へ供給される。
【０００４】
一方、上記吸着素子と熱交換器とを一体化し、吸着剤が担持された吸着熱交換器を用いることが考えられている。この場合、吸着熱交換器は、多数の板状のフィンと該フィンを貫通する銅管とを備えた、いわゆるフィン・アンド・チューブ型の熱交換器に構成されている。そして、このフィンおよび銅管の表面に吸着剤が担持されている。この熱交換器では、吸着剤によって流通空気の除加湿が行われると共に、銅管内を流れる冷媒によって吸着剤の加熱や冷却が行われる。
【０００５】
さらに、冷媒回路に代えて冷水や温水が流れる水回路を用いた調湿装置が考えられる。つまり、冷水と温水とを吸着熱交換器へ交互に流すことにより、その吸着剤の冷却や加熱が行われる。
【特許文献１】特開２００４−６０９５４号公報
【発明の開示】
【発明が解決しようとする課題】
【０００６】
しかしながら、上述した水回路を用いる従来の調湿装置では、水の流れを切り換える際に水の流れが閉塞される恐れがあるという問題があった。つまり、水の流れを切り換えるため、三方弁や四方弁を用いて切り換えるが、この三方弁等が作動不良等により正常に切り換わらなかった場合に水の流れが遮断される。これにより、水が非圧縮性流体であることから、配管や熱交換器内に高圧が作用し、最悪の場合にはそれらが破裂するという問題があった。
【０００７】
本発明は、斯かる点に鑑みてなされたものであり、その目的とするところは、水の流れを切り換えて吸着熱交換器の吸着剤にて水分の吸脱着を行う調湿装置において、水流れを切り換える際に切換弁の作動不良等により水流れが遮断された場合に、配管等内に作用する高圧を抑制することである。
【課題を解決するための手段】
【０００８】
第１の発明は、吸着剤を有して空気中の水分の吸着と脱離による空気中への水分の放出とを行う第１熱交換器（32）および第２熱交換器（42）が接続され、冷水および温水の水が流れる水回路（20）を備え、上記水回路（20）は、第１入口（21）より導入された温水が第１熱交換器（32）を通って第１出口（22）へ流れると共に、第２入口（23）より導入された冷水が第２熱交換器（42）を通って第２出口（24）へ流れる第１流れ状態と、第１入口（21）より導入された温水が第２熱交換器（42）を通って第１出口（22）へ流れると共に、第２入口（23）より導入された冷水が第１熱交換器（32）を通って第２出口（24）へ流れる第２流れ状態とに切り換わるように水流れを切り換え、第１熱交換器（32）および第２熱交換器（42）で水分の吸脱着を交互に行う調湿装置を前提としている。そして、上記水回路（20）は、水流れを切り換える際に、各入口（21,23）と各出口（22,24）とが繋がるバイパス通路を備えている。
【０００９】
上記の発明では、冷水が流れる第１熱交換器（32）または第２熱交換器（42）において、通過する空気中の水分が吸着剤に吸着されて、該空気が除湿される。一方、温水が流れる第２熱交換器（42）または第１熱交換器（32）において、吸着剤から脱離した水分が通過する空気中へ放出されて、該空気が加湿される。そして、上記水回路（20）は、冷水および温水が第１熱交換器（32）および第２熱交換器（42）を交互に流れるように水の流れを切り換えて、空気の除加湿が連続的に行われる。
【００１０】
上記水回路（20）における水の流れの切換は、例えば三方弁や四方弁等の流路切換弁を切換によって行われる。ここで、流路切換弁が作動不良等により全く切り換わらなっかたり、中間開度状態で保持されると、水の流れが遮断される恐れがある。そうなると、水が非圧縮性流体であることから、配管や熱交換器（32,42）等に高圧が作用してしまう。
【００１１】
ところが、本発明では、流路切換弁の切換時において、つまり水流れを切り換える際に各入口（21,23）と各出口（22,24）とが繋がるバイパス通路を備えているので、流路切換弁が作動不良等を起こした場合、各入口（21,23）より導入された水が確実に各出口（22,24）へ流れる。したがって、水流れが遮断されることはなく、配管等に高圧が作用するのを防止できる。
【００１２】
また、第２の発明は、吸着剤を有して空気中の水分の吸着と脱離による空気中への水分の放出とを行う第１熱交換器（32）および第２熱交換器（42）が接続され、冷水および温水の何れかの水が流れる水回路（20）を備え、上記水回路（20）は、入口（21）より導入された水が第１熱交換器（32）を通って出口（22）へ流れる第１流れ状態と、入口（21）より導入された水が第２熱交換器（42）を通って出口（22）へ流れる第２流れ状態とに切り換わるように水流れを切り換え、第１熱交換器（32）および第２熱交換器（42）で水分の吸脱着を交互に行う調湿装置を前提としている。そして、上記水回路（20）は、水流れを切り換える際に、入口（21）と出口（22）とが繋がるバイパス通路を備えている。
【００１３】
上記の発明では、例えば、水回路（20）を冷水のみが流れる場合、冷水が流れる第１熱交換器（32）または第２熱交換器（42）において、通過する空気中の水分が吸着剤に吸着されて、該空気が除湿される。一方、冷水が流れない第２熱交換器（42）または第１熱交換器（32）において、吸着剤から自然脱離した水分が通過する空気中へ放出されて、該空気が加湿される。
【００１４】
また、上記水回路（20）を温水のみが流れる場合、温水が流れる第１熱交換器（32）または第２熱交換器（42）において、吸着剤から脱離した水分が通過する空気中へ放出されて、該空気が加湿される。一方、温水が流れない第２熱交換器（42）または第１熱交換器（32）において、通過する空気中の水分が吸着剤に吸着されて、該空気が除湿される。そして、上記水回路（20）は、冷水または温水が第１熱交換器（32）および第２熱交換器（42）を交互に流れるように水の流れが流路切換弁によって切り換えられる。
【００１５】
ここで、上述した第１の発明と同様に、流路切換弁が作動不良等を起こしても、各入口（21,23）より導入された水が確実に各出口（22,24）へ流れる。したがって、水流れが遮断されることはなく、配管等に高圧が作用するのを防止できる。
【００１６】
また、第３の発明は、上記第１または第２の発明において、上記バイパス通路が、バイパス遮断弁（37）を有し、第１熱交換器（32）の上流側および下流側の何れかと、第２熱交換器（42）の上流側および下流側の何れかとに接続されている。
【００１７】
上記の発明では、水流れの切換時の際、例えば水が第１熱交換器（32）を通るルートを流れていた場合、流路切換弁が作動不良を起こして該ルートが遮断されても、バイパス遮断弁（37）を開くことにより該水がバイパス通路を介して第２熱交換器（42）を通るルートへ流れ、そのまま出口（22,24）へ流れる。また、第２熱交換器（42）を通るルートが遮断された場合も同様に、水がバイパス通路を介して第１熱交換器（32）のルートへ流れて出口（22,24）より排出される。したがって、水流れの遮断が防止される。
【００１８】
また、第４の発明は、上記第１の発明において、上記水回路（20）が、第１流れ状態と第２流れ状態とに水流れを切り換えるための温水用の入口側切換手段（31）および出口側切換手段（33）と、冷水用の入口側切換手段（41）および出口側切換手段（43）とを備えている。そして、上記バイパス通路は、バイパス遮断弁（37）を有し、温水用の入口側切換手段（31）の上流側と温水用の出口側切換手段（33）の下流側とに接続される温水用のバイパス通路、およびバイパス遮断弁（37）を有し、冷水用の入口側切換手段（41）の上流側と冷水用の出口側切換手段（43）の下流側とに接続される冷水用のバイパス通路の少なくとも何れか一方を備えている。
【００１９】
上記の発明では、水流れの切換時において温水用のバイパス遮断弁（37）を開くことにより、温水用の入口側切換手段（31）および出口側切換手段（33）の両方が作動不良で中間開度状態になった場合でも、第１入口（21）より導入された温水が温水用のバイパス通路を通って第１出口（22）へ確実に流れる。また、水流れの切換時において冷水用のバイパス遮断弁（37）を開くことにより、冷水用の入口側切換手段（41）および出口側切換手段（43）の両方が中間開度状態になった場合でも、第２入口（23）より導入された冷水が冷水用のバイパス通路を通って第２出口（24）へ確実に流れる。したがって、少なくとも冷温水の何れか一方の水流れの遮断が回避され、配管等に高圧が作用するのを抑制できる。
【００２０】
また、第５の発明は、上記第１の発明において、上記水回路（20）が、第１流れ状態と第２流れ状態とに水流れを切り換えるための温水用の入口側切換手段（31）および出口側切換手段（33）と、冷水用の入口側切換手段（41）および出口側切換手段（43）とを備えている。そして、本発明は、上記水流れの切換時に、各出口側切換手段（33,43）を切り換えた後に各入口側切換手段（31,41）を切り換える。
【００２１】
上記の発明では、水流れの切換時に、各出口側切換手段（33,43）から先に切り換えられるので、各入口側切換手段（31,41）を先に切り換える場合に比べて、冷水および温水を切換完了まで所定の第１熱交換器（32）または第２熱交換器（42）へ流し続けることができる。これにより、水流れの切換時における除加湿能力の低下が抑制される。
【００２２】
また、第６の発明は、上記第５の発明において、加湿運転の場合、上記水流れの切換時に、冷水用の出口側切換手段（43）を切り換えた後に温水用の出口側切換手段（33）を切り換える。
【００２３】
上記の発明では、加湿運転の場合、温水が流れる第１熱交換器（32）または第２熱交換器（42）で加湿された空気が利用側へ供給される。ここで、水流れの切換時に、冷水用の出口側切換手段（43）を先に切り換えるので、温水用の出口側切換手段（33）が切り換えられるまでの間、冷水の流れが遮断されることになる。つまり、この水流れの切換時において、温水が冷水よりも第１熱交換器（32）または第２熱交換器（42）を長い時間流れることになる。したがって、加湿能力の低下が抑制される。
【００２４】
また、第７の発明は、上記第５の発明において、除湿運転の場合、上記水流れの切換時に、温水用の出口側切換手段（33）を切り換えた後に冷水用の出口側切換手段（43）を切り換える。
【００２５】
上記の発明では、除湿運転の場合、冷水が流れる第１熱交換器（32）または第２熱交換器（42）で除湿された空気が利用側へ供給される。ここで、水流れの切換時に、温水用の出口側切換手段（33）を先に切り換えるので、冷水用の出口側切換手段（43）が切り換えられるまでの間、温水の流れが遮断されることになる。つまり、この水流れの切換時において、冷水が温水よりも第１熱交換器（32）または第２熱交換器（42）を長い時間流れることになる。したがって、除湿能力の低下が抑制される。
【００２６】
また、第８の発明は、上記第２の発明において、上記水回路（20）が、第１流れ状態と第２流れ状態とに水流れを切り換えるための入口側切換手段（31）および出口側切換手段（33）を備えている。そして、上記バイパス通路は、バイパス遮断弁（37）を有し、入口側切換手段（31）の上流側と出口側切換手段（33）の下流側とに接続されている。
【００２７】
上記の発明では、水流れの切換時においてバイパス遮断弁（37）を開くことにより、入口側切換手段（31）および出口側切換手段（33）の両方が作動不良で中間開度状態になった場合でも、入口（21）より導入された冷水または温水がバイパス通路を通って出口（22）へ確実に流れる。したがって、水流れの遮断が回避され、配管等に高圧が作用するのを防止できる。
【００２８】
また、第９の発明は、上記第２の発明において、上記水回路（20）が、第１流れ状態と第２流れ状態とに水流れを切り換えるための入口側切換手段（31）および出口側切換手段（33）を備えている。そして、本発明は、上記水流れの切換時に、出口側切換手段（33）を切り換えた後に入口側切換手段（31）を切り換える。
【００２９】
上記の発明では、水流れの切換時に、出口側切換手段（33）から先に切り換えられるので、入口側切換手段（31）を先に切り換える場合に比べて、冷水または温水を水流れの切換完了まで所定の第１熱交換器（32）または第２熱交換器（42）へ少しでも長く流し続けることができる。これにより、水流れの切換時における除加湿能力の低下が抑制される。
【００３０】
また、第１０の発明は、吸着剤を有して空気中の水分の吸着と脱離による空気中への水分の放出とを行う第１熱交換器（32）および第２熱交換器（42）が接続され、冷水および温水の水が流れる水回路（20）を備え、上記水回路（20）が、第１入口（21）より導入された温水が第１熱交換器（32）を通って第１出口（22）へ流れると共に、第２入口（23）より導入された冷水が第２熱交換器（42）を通って第２出口（24）へ流れる第１流れ状態と、第１入口（21）より導入された温水が第２熱交換器（42）を通って第１出口（22）へ流れると共に、第２入口（23）より導入された冷水が第１熱交換器（32）を通って第２出口（24）へ流れる第２流れ状態とに切り換わるように水流れを切り換えるための切換手段（31,33,41,43）を備え、第１熱交換器（32）および第２熱交換器（42）で水分の吸脱着を交互に行う調湿装置を前提としている。そして、上記水回路（20）は、出口側の切換手段（33,43）よりも上流側に冷水および温水のバッファタンク（39,49）を備えている。
【００３１】
上記の発明では、第１の発明と同様に、水流れの切換が例えば三方弁や四方弁等の流路切換弁の切換によって行われ、流路切換弁が作動不良等により切り換わらなっかたりすると、水の流れが遮断されて配管内に高圧が作用する状態となる。
【００３２】
ところが、本発明では、出口側の切換手段（33,43）よりも上流側にバッファタンク（39,49）が設けられているため、各入口（21,23）より導入された温水および冷水がそのままバッファタンク（39,49）に貯留される。つまり、配管等内に生じた高圧がバッファタンク（39,49）に吸収される。これにより、配管や熱交換器（32,42）への作用高圧が抑制される。
【００３３】
また、第１１の発明は、吸着剤を有して空気中の水分の吸着と脱離による空気中への水分の放出とを行う第１熱交換器（32）および第２熱交換器（42）が接続され、冷水および温水の何れかの水が流れる水回路（20）を備え、上記水回路（20）は、入口（21）より導入された水が第１熱交換器（32）を通って出口（22）へ流れる第１流れ状態と、入口（21）より導入された水が第２熱交換器（42）を通って出口（22）へ流れる第２流れ状態とに切り換わるように水流れを切り換えるための切換手段（31,33）を備え、第１熱交換器（32）および第２熱交換器（42）で水分の吸脱着を交互に行う調湿装置を前提としている。そして、上記水回路（20）は、出口側の切換手段（33）よりも上流側に水のバッファタンク（39,49）を備えている。
【００３４】
上記の発明では、第２の発明と同様に、水流れの切換が例えば三方弁や四方弁等の流路切換弁を切換によって行われ、流路切換弁が作動不良等により切り換わらなっかたりすると、水の流れが遮断されて配管内に高圧が作用する状態となる。
【００３５】
ところが、本発明では、出口側の切換手段（33）よりも上流側に水のバッファタンク（39,49）が設けられているので、入口（21,23）より導入された温水または冷水がそのままバッファタンク（39,49）に貯留される。つまり、配管等内に生じた高圧がバッファタンク（39,49）に吸収されるため、配管や熱交換器（32,42）への作用高圧が抑制される。
【発明の効果】
【００３６】
したがって、本発明によれば、水流れを切り換える際に各入口（21,23）と各出口（22,24）とが繋がるバイパス通路を設けるようにしたので、流路切換弁が作動不良を起こしても、冷水および温水を確実にバイパス通路を介して各出口（22,24）へ排出させることができる。したがって、水流れの遮断を防止することができるので、配管や熱交換器（32,42）へ高圧が作用するのを防止できる。この結果、装置を保護することができる。
【００３７】
また、第２の発明によれば、冷水のみまたは温水のみが流れる水回路（20）においても、流路切換弁が作動不良を起こしても、冷水または温水を確実にバイパス通路を介して出口（22）へ排出させることができる。したがって、配管や熱交換器（32,42）へ高圧が作用するのを防止でき、装置を保護することができる。
【００３８】
また、第３の発明によれば、第１熱交換器（32）の上流側および下流側の何れかと、第２熱交換器（42）の上流側および下流側の何れかとに接続されるバイパス通路を設けるようにしたので、例えば第１熱交換器（32）を通るルートで水の流れが遮断されても、そのルートを流れていた水を第２熱交換器（42）を通るルートへ流して、そのまま出口（22,24）から排出させることができる。これにより、配管等への高圧の作用を防止することができる。
【００３９】
また、第４の発明によれば、温水用のバイパス通路を温水用の入口側切換手段（31）の上流側と温水用の出口側切換手段（33）の下流側とに接続し、冷水用のバイパス通路を冷水用の入口側切換手段（41）の上流側と冷水用の出口側切換手段（43）の下流側とに接続するようにしたので、各入口側切換手段（31,41）および各出口側切換手段（33,43）の両方が中間開度状態になった場合でも、確実に冷水または温水を各バイパス通路を通じて各出口（22,24）へ流すことができる。したがって、冷温水流れの遮断を回避できるので、配下等を高水圧から保護することができる。
【００４０】
また、第５の発明によれば、水流れの切換時に、冷水用および温水用の各出口側切換手段（33,43）を切り換えた後に各入口側切換手段（31,41）を切り換えるようにしたので、その水流れの切換時の間、冷水および温水を所定の第１熱交換器（32）および第２熱交換器（42）へ少しでも長く流通させることができる。したがって、水流れの切換時において除加湿の能力低下を抑制することができる。
【００４１】
また、第６または第７の発明によれば、加湿運転の場合には、冷水用の出口側切換手段（43）を切り換えた後に温水用の出口側切換手段（33）を切り換え、除湿運転の場合には、温水用の出口側切換手段（33）を切り換えた後に冷水用の出口側切換手段（43）を切り換えるようにしたので、水流れの切換時において、加湿または除湿した空気を利用側へ供給する熱交換器（32,42）に対して温水または冷水を少しでも長い時間流すことができる。したがって、水流れの切換時における除加湿の能力低下を抑制できる。
【００４２】
また、第８の発明によれば、バイパス通路を入口側切換手段（31）の上流側と出口側切換手段（33）の下流側とに接続するようにしたので、入口側切換手段（31）および出口側切換手段（33）の両方が中間開度状態になった場合でも、確実に冷水または温水をバイパス通路を通じて出口（22）へ流すことができる。したがって、水流れが遮断されるのを確実に回避できるので、配下等を高水圧から保護することができる。
【００４３】
また、第９の発明によれば、水流れの切換時に、水の出口側切換手段（33）を切り換えた後に入口側切換手段（31）を切り換えるようにしたので、その水流れの切換時の間、冷水または温水を所定の第１熱交換器（32）および第２熱交換器（42）へ少しでも長く流通させることができる。したがって、水流れの切換時において各熱交換器（32,42）の除湿または加湿の能力低下を抑制することができる。
【００４４】
また、第１０の発明によれば、出口側の切換手段（33,43）よりも上流側に冷水および温水のバッファタンク（39,49）を備えるようにしたため、流路切換弁の作動不良が起きて水流れが遮断されても、冷温水をバッファタンク（39,49）に貯留させることができるので、配管や熱交換器（32,42）に作用する高圧を抑制することができる。この結果、配管等を高圧から保護できる。
【００４５】
また、第１１の発明によれば、冷水のみまたは温水のみが流れる水回路（20）においても、出口側の切換手段（33）よりも上流側に水のバッファタンク（39,49）を備えるようにしたため、流路切換弁が作動不良を起こして水流れが遮断されても、冷水または温水をバッファタンク（39,49）に貯留させることができるので、配管等内に作用する高圧を抑制することができる。
【発明を実施するための最良の形態】
【００４６】
以下、本発明の実施形態を図面に基づいて詳細に説明する。
【００４７】
《発明の実施形態１》
図１に示すように、本実施形態の調湿装置（10）は、室内空気の除湿と加湿とを行うものである。この調湿装置（10）は、冷水と温水が流れる水回路（20）を備えると共に、第１空気および第２空気を取り込んで流通させる空気通路（図示せず）を備えている。
【００４８】
上記水回路（20）には、温水用の第１入口（21）および第１出口（22）と、冷水用の第２入口（23）および第２出口（24）とが設けられている。
【００４９】
上記水回路（20）は、第１通路（30）および第２通路（40）を備えている。上記第１通路（30）は、第１入口（21）と第１出口（22）とを繋ぐ通路であり、第２通路（40）は、第２入口（23）と第２出口（24）とを繋ぐ通路である。
【００５０】
上記第１通路（30）は、第１入口（21）側から順に、入口側三方弁（31）、第１吸着熱交換器（32）および出口側三方弁（33）が設けられている。上記第２通路（40）は、第２入口（23）側から順に、入口側三方弁（41）、第２吸着熱交換器（42）および出口側三方弁（43）が設けられている。
【００５１】
上記第１通路（30）および第２通路（40）には、それぞれ入口側分岐通路（34,44）と出口側分岐通路（35,45）とが接続されている。上記第１通路（30）の入口側分岐通路（34）は、一端が第１通路（30）の入口側三方弁（31）に接続され、他端が第２通路（40）における入口側三方弁（41）と第２吸着熱交換器（42）との間に接続されている。上記第１通路（30）の出口側分岐通路（35）は、一端が第１通路（30）における第１吸着熱交換器（32）と出口側三方弁（33）との間に接続され、他端が第２通路（40）の出口側三方弁（43）に接続されている。上記第２通路（40）の入口側分岐通路（44）は、一端が第２通路（40）の入口側三方弁（41）に接続され、他端が第１通路（30）における入口側三方弁（31）と第１吸着熱交換器（32）との間に接続されている。上記第２通路（40）の出口側分岐通路（45）は、一端が第２通路（40）における第２吸着熱交換器（42）と出口側三方弁（43）との間に接続され、他端が第１通路（30）の出口側三方弁（33）に接続されている。
【００５２】
上記第１通路（30）の入口側三方弁（31）は、第１入口（21）側が、第１吸着熱交換器（32）の上流側と連通する第１状態（図１に実線で示す状態）と、入口側分岐通路（34）と連通する第２状態（図１に破線で示す状態）とに切り換わるように構成されている。上記第１通路（30）の出口側三方弁（33）は、第１出口（22）側が、第１吸着熱交換器（32）の下流側と連通する第１状態（図１に実線で示す状態）と、出口側分岐通路（45）と連通する第２状態（図１に破線で示す状態）とに切り換わるように構成されている。上記第２通路（40）の入口側三方弁（41）は、第２入口（23）側が、第２吸着熱交換器（42）の上流側と連通する第１状態（図１に実線で示す状態）と、入口側分岐通路（44）と連通する第２状態（図１に破線で示す状態）とに切り換わるように構成されている。上記第２通路（40）の出口側三方弁（43）は、第２出口（24）側が、第２吸着熱交換器（42）の下流側と連通する第１状態（図１に実線で示す状態）と、出口側分岐通路（35）と連通する第２状態（図１に破線で示す状態）とに切り換わるように構成されている。
【００５３】
上記第１吸着熱交換器（32）および第２吸着熱交換器（42）は、それぞれクロスフィン式のフィン・アンド・チューブ型熱交換器により構成されている。つまり、上記第１吸着熱交換器（32）および第２吸着熱交換器（42）は、長方形板状に形成されたアルミニウム製の多数のフィンと、該フィンを貫通する銅製の伝熱管とを備えている。
【００５４】
上記フィンおよび伝熱管の外表面には、水分の吸脱着可能な吸着剤が接着剤であるバインダーと共にディップ成形（浸漬成形）により担持されている。上記吸着剤には、ゼオライト、シリカゲル、活性炭、親水性または吸水性を有する有機高分子ポリマー系材料、カルボン酸基またはスルホン酸基を有するイオン交換樹脂系材料、感温性高分子等の機能性高分子材料などが用いられる。そして、上記第１吸着熱交換器（32）が第１熱交換器を構成し、第２吸着熱交換器（42）が第２熱交換器を構成している。
【００５５】
上記水回路（20）は、温水が第１入口（21）から第１吸着熱交換器（32）を経て第１出口（22）へ流れると共に、冷水が第２入口（23）から第２吸着熱交換器（42）を経て第２出口（24）へ流れる第１サイクル動作と、温水が第１入口（21）から第２吸着熱交換器（42）を経て第１出口（22）へ流れると共に、冷水が第２入口（23）から第１吸着熱交換器（32）を経て第２出口（24）へ流れる第２サイクル動作とを交互に繰り返すように冷温水の流れおよび空気の流れが切り換えられる。つまり、上記水回路（20）は、冷温水の流れが切り換えられて、第１サイクル動作を行う第１流れ状態と、第２サイクル動作を行う第２流れ状態とに切り換わる。
【００５６】
上記第１通路（30）の入口側三方弁（31）および出口側三方弁（33）は、第１流れ状態と第２流れ状態とに水流れを切り換えるための温水用の入口側切換手段および出口側切換手段を構成している。また、上記第２通路（40）の入口側三方弁（41）および出口側三方弁（43）は、第１流れ状態と第２流れ状態とに水流れを切り換えるための冷水用の入口側切換手段および出口側切換手段を構成している。
【００５７】
具体的に、上記第１サイクル動作では、第２吸着熱交換器（42）で第１空気の水分が吸着剤に吸着されて該第１空気の除湿が行われると同時に、該第１空気および吸着剤が冷水によって冷却される一方、第１吸着熱交換器（32）で吸着剤より水分が第２空気へ放出されて該第２空気の加湿が行われると同時に、該第２空気および吸着剤が温水によって加熱される。また、上記第２サイクル動作では、第１吸着熱交換器（32）で第１空気の水分が吸着剤に吸着されて該第１空気の除湿が行われると同時に、該第１空気および吸着剤が冷水によって冷却される一方、第２吸着熱交換器（42）で吸着剤より水分が第２空気へ放出されて該第２空気の加湿が行われると同時に、該第２空気および吸着剤が温水によって加熱される。
【００５８】
上記調湿装置（10）は、冷房除湿運転と暖房加湿運転とが切り換わるように構成されている。上記冷房除湿運転時には、第１空気が室内へ供給されると共に第２空気が室外へ排出され、暖房加湿運転時には、第２空気が室内へ供給されると共に第１空気が室外へ排出されるように空気の流れが切り換えられる。
【００５９】
また、上記調湿装置（10）は、本発明の特徴として、バイパス用三方弁（37）を有するバイパス通路（36）が設けられている。このバイパス通路（36）は、一端が第１通路（30）における入口側三方弁（31）よりも上流側に接続され、他端が第１通路（30）における出口側三方弁（33）よりも下流側に接続されている。
【００６０】
上記バイパス用三方弁（37）は、温水がバイパス通路（36）を通じてバイパスするのを遮断するためのバイパス遮断弁を構成している。具体的に、このバイパス用三方弁（37）は、第１入口（21）よりバイパス通路（36）へ流れた温水が、そのまま第１出口（22）側へ向かって流れる第２状態（図１に破線で示す状態）と、再び第１通路（30）に戻る第１状態（図１に実線で示す状態）とに切り換わるように構成されている。
【００６１】
つまり、上記バイパス通路（36）は、水流れの切換時にバイパス用三方弁（37）を第２状態に切り換え、第１入口（21）より導入された温水を第１吸着熱交換器（32）および第２吸着熱交換器（42）と、入口側三方弁（31）および出口側三方弁（33）とをバイパスさせて第１出口（22）へ流すことができるように構成されている。さらに言えば、上記バイパス通路（36）は、水流れの切換時の際に、第１入口（21）と第１出口（22）とが繋がる通路を構成している。
【００６２】
また、上記水回路（20）において、第１通路（30）の出口側分岐通路（35）および第２通路（40）の出口側分岐通路（45）は、水流れの切換の際に、各入口（21,23）と各出口（22,24）とが繋がるバイパス通路を兼ねている。
【００６３】
また、上記調湿装置（10）は、第１サイクル動作および第２サイクル動作の切換の際、水流れを切り換えてから所定時間後に、空気流れを切り換えるように構成されている。具体的に、上記水回路（20）は、冷温水の流れを切り換える際、各出口側三方弁（33,43）を切り換えてから各入口側三方弁（31,41）を切り換えるように構成されている。
【００６４】
さらに、例えば冷房除湿運転の場合は、温水用である第１通路（30）の出口側三方弁（33）を切り換えた後に、冷水用である第２通路（40）の出口側三方弁（43）を切り換える。一方、暖房加湿運転の場合は、冷水用である第２通路（40）の出口側三方弁（43）を切り換えた後に、温水用である第１通路（30）の出口側三方弁（33）を切り換える。
【００６５】
−運転動作−
上記調湿装置（10）の運転動作について説明する。この調湿装置（10）では、冷房除湿運転と暖房加湿運転とが切り換え可能になっている。
【００６６】
先ず、冷房除湿運転について説明する。この冷房除湿運転は、除湿した第１空気を室内へ供給する運転である。ここでは、主として第１サイクル動作から第２サイクル動作への切換動作について、図１〜図７を参照しながら説明する。
【００６７】
図１に示すように、上記水回路（20）が第１サイクル動作を行う第１流れ状態に切り換えられる。具体的に、各入口側三方弁（31,41）および各出口側三方弁（33,43）が第１状態に設定され、バイパス用三方弁（37）が第１状態に設定される。また、この調湿装置（10）は、室外空気（OA）が第１空気として第２吸着熱交換器（42）へ流れ、室内空気（RA）が第２空気として第１吸着熱交換器（32）へ流れるように空気流れが設定される。そして、温水が第１入口（21）より導入され、冷水が第２入口（23）より導入される。
【００６８】
先ず、上記第１入口（21）より導入された温水は、入口側三方弁（31）を通って第１吸着熱交換器（32）へ流れる。この第１吸着熱交換器（32）では、温水によって吸着剤および第２空気が加熱され、その際、吸着剤より水分が第２空気へ放出されて該第２空気の加湿が行われる。その後、この第２空気は、排出空気（EA）として室外へ排出される。上記第１吸着熱交換器（32）を出た温水は、出口側三方弁（33）を通って第１出口（22）より排出される。
【００６９】
一方、上記第２入口（23）より導入された冷水は、入口側三方弁（41）を通って第２吸着熱交換器（42）へ流れる。この第２吸着熱交換器（42）では、冷水によって吸着剤および第１空気が冷却され、その際、第１空気中の水分が吸着剤に吸着されて該第１空気の除湿が行われる。その後、この第１空気は、供給空気（SA）として室内へ供給される。上記第２吸着熱交換器（42）を出た冷水は、出口側三方弁（43）を通って第２出口（24）より排出される。つまり、この第１サイクル動作において、温水は第１通路（30）のみを流れ、冷水は第２通路（40）のみを流れる。
【００７０】
上記水回路（20）は、第１サイクル動作が所定時間行われると、バイパス用三方弁（37）、第１通路（30）の出口側三方弁（33）、第２通路（40）の出口側三方弁（43）、第２通路（40）の入口側三方弁（41）、第１通路（30）の入口側三方弁（31）が順に第２状態に切り換えられる。
【００７１】
先ず、図２示すように、上記バイパス用三方弁（37）が第２状態に切り換わると、第１入口（21）より導入された温水の一部が第１吸着熱交換器（32）へ向かって流れると共に、残りが第１通路（30）からバイパス通路（36）へ分岐して第１出口（22）へ流れる。つまり、この状態では、温水の第１入口（21）から第１出口（22）までのルートが２つ確保される。
【００７２】
続いて、図３に示すように、第１通路（30）の出口側三方弁（33）が第２状態に切り換えられると、第１入口（21）より導入された温水の全量がバイパス通路（36）を通って第１出口（22）へ流れる。一方、第２吸着熱交換器（42）を出た冷水の一部が第２出口（24）へ流れると共に、残りが第２通路（40）から出口側分岐通路（45）へ分岐し、第１通路（30）の出口側三方弁（33）を通って第１出口（22）へ流れる。このように、第１通路（30）の出口側三方弁（33）の切換前にバイパス用三方弁（37）を切り換えているため、温水の流れを遮断させることなく、第１入口（21）から導入された温水を第１出口（22）へ確実に流すことができる。
【００７３】
続いて、図４に示すように、第２通路（40）の出口側三方弁（43）が第２状態に切り換えられると、第１入口（21）より導入された温水の一部が第１吸着熱交換器（32）を通った後、出口側分岐通路（35）を介して第２出口（24）へ流れると共に、残りが第１通路（30）からバイパス通路（36）へ分岐して第１出口（22）へ流れる。つまり、この状態では、第１吸着熱交換器（32）を通った温水が第２出口（24）へ流れ、第２吸着熱交換器（42）を通った冷水の全量が第１出口（22）へ流れる。
【００７４】
このように、第１通路（30）の出口側三方弁（33）を切り換えた後に第２通路（40）の出口側三方弁（43）を切り換えるので、冷水の流れが遮断される恐れがなくなる。つまり、各出口側三方弁（33,43）を同時に切り換える場合、例えば第１通路（30）の出口側三方弁（33）が作動不良等により切り換わらないと、冷水の流れが遮断される恐れがあるが、順次切り換えることにより、その切換対象の出口側三方弁（33,43）が作動不良等起こしても冷水を必ず第１出口（22）または第２出口（24）へ流すことができる。
【００７５】
そして、図５に示すように、第２通路（40）の入口側三方弁（41）が第２状態に切り換わると、水回路（20）が中間状態に切り換わる。これにより、第２入口（23）より導入された冷水は、入口側分岐通路（44）を通って第１通路（30）へ流れ、その後、第１入口（21）より導入された温水の一部と合流して第１吸着熱交換器（32）へ流れる。一方、上記第２吸着熱交換器（42）は、冷水および温水の何れも流通していない状態になる。この場合も、予め第１通路（30）の出口側三方弁（33）を切り換えていることから、万一第２通路（40）の入口側三方弁（41）が切換不良を起こしても冷水は第１出口（22）へ確実に流れるため、冷水の流れが遮断されて配管等が破裂する恐れはなくなる。
【００７６】
このように、各出口側三方弁（33,43）を各入口側三方弁（31,41）よりも先に切り換え、しかも第１通路（30）の出口側三方弁（33）を切り換えた後に第２通路（40）の出口側三方弁（43）を切り換えるようにしているため、この水流れの切換時において利用側である第２吸着熱交換器（42）へ冷水をできるだけ長く流通させることができる。これにより、除湿能力の低下を抑制することができる。
【００７７】
この中間状態において、第１吸着熱交換器（32）は、それまで流通していた温水による温熱が残存しているが、冷水が加わって流れることによって徐々に冷却される。その際、第２空気が冷却されて室外へ排出される。一方、上記第２吸着熱交換器（42）は、それまで流通していた冷水による冷熱が残存しているため、その残存する冷熱によって第１空気が冷却されて室内へ供給される。さらに、上記第２吸着熱交換器（42）は、温水が流れないことから、温水によって加熱されないため、第１空気の加熱を確実に防止できる。つまり、この中間状態では、第１サイクル動作から冷水の流れのみが次の第２サイクル動作用に切り換わる。
【００７８】
図６に示すように、上記水回路（20）は、中間状態に切り換わってから所定時間が経過すると、第１通路（30）の入口側三方弁（31）が第２状態に切り換えられると共に、空気の流れが切り換えられ、第２サイクル動作が行われる。つまり、第１空気としての室外空気（OA）が第１吸着熱交換器（32）へ流れ、第２空気としての室内空気（RA）が第２吸着熱交換器（42）へ流れるように空気流れが切り換わる。
【００７９】
上記第２吸着熱交換器（42）では、温水によって吸着剤および第２空気が加熱され、その際、該第２空気が加湿されて排出空気（EA）として室外へ排出される。一方、上記第１吸着熱交換器（32）では、冷水によって吸着剤および第１空気が冷却され、その際、該第１空気が除湿されて供給空気（SA）として室内へ供給される。ここで、第１サイクル動作で加熱された第１吸着熱交換器（32）は、中間状態の所定時間の間に、冷水によって冷却されている。したがって、切換後、第１吸着熱交換器（32）にて第１空気が加熱されて室内へ供給されることはないので、室内の快適性を損なうことはない。そして、上記水回路（20）は、図７に示すように、バイパス用三方弁（37）が第１状態に切り換えられ、第２サイクル動作を行う第２流れ状態への切換が完了する。
【００８０】
上記第２サイクル動作から第１サイクル動作への切換は、上述した切換と同様の要領で行われる。つまり、上記水回路（20）は、第２サイクル動作が所定時間行われると、バイパス用三方弁（37）が第２状態に切り換えられた後、第１通路（30）の出口側三方弁（33）、第２通路（40）の出口側三方弁（43）、第２通路（40）の入口側三方弁（41）、第１通路（30）の入口側三方弁（31）が順に第１状態に切り換えられる。そして、最後にバイパス用三方弁（37）が第１状態に切り換えられて、第１サイクル動作を行う第１流れ状態への切換が完了する。したがって、この場合においても、冷水および温水の流れが遮断されることはなく、配管等の破裂の恐れがなくなる。
【００８１】
次に、暖房加湿運転について説明する。この暖房加湿運転は、加湿した第２空気を室内へ供給する運転である。つまり、この運転の場合、室内空気（RA）が第１空気として取り込まれ、室外空気（OA）が第２空気として取り込まれる。
【００８２】
例えば、第１サイクル動作から第２サイクル動作へ切り換える際は、バイパス用三方弁（37）、第２通路（40）の出口側三方弁（43）、第１通路（30）の出口側三方弁（33）、第１通路（30）の入口側三方弁（31）、第２通路（40）の入口側三方弁（41）が順に第２状態に切り換えられる。そして、バイパス用三方弁（37）が第１状態に切り換えられて第２サイクル動作への切換が完了する。この場合においても、冷水および温水の流れが遮断されることはないため、配管等の破裂の恐れがなくなる。また、第２サイクル動作から第１サイクル動作への切換は、バイパス用三方弁（37）が第２状態に切り換えられた後、、第２通路（40）の出口側三方弁（43）、第１通路（30）の出口側三方弁（33）、第１通路（30）の入口側三方弁（31）、第２通路（40）の入口側三方弁（41）が順に第１状態に切り換えられ、バイパス用三方弁（37）が第１状態に切り換えられて第１サイクル動作への切換が完了する。
【００８３】
なお、本実施形態において、バイパス用三方弁（37）に代えて二方弁である開閉弁を用いるようにしてもよい。この場合、第１サイクル動作および第２サイクル動作中は二方弁を閉状態に設定し、第１サイクル動作および第２サイクル動作の切換中は二方弁を開状態に設定する。つまり、上記二方弁の閉状態がバイパス用三方弁（37）の第１状態に対応し、二方弁の開状態がバイパス用三方弁（37）の第２状態に対応するように二方弁を切り換える。
【００８４】
−実施形態１の効果−
以上説明したように、水流れの切換時に第１入口（21）と第１出口（22）とが繋がるバイパス通路（36）を設けるようにしたので、さらに各出口側分岐通路（35,45）が、水流れの切換時に各入口（21,23）が各出口（22,24）へ繋がるバイパス通路を兼ねるようにしたので、各種三方弁（31,33,41,43）が作動不良等を起こしても、第１入口（21）より導入された水を確実に第１出口（22）へ流すことができる。したがって、冷温水の流れが遮断されるのを防止することができる。これにより、配管や熱交換器（32,42）に対して高圧が作用するのを防止できる。
【００８５】
また、水流れの切換時に、各出口側三方弁（33,43）から先に切り換えるようにしているので、各熱交換器（32,42）に対して少しでも長い時間冷温水を流通させることができる。したがって、水流れの切換時において、空気の除加湿の能力低下を抑制できる。
【００８６】
さらに、冷房除湿運転の場合は、第１通路（30）の出口側三方弁（33）を切り換えた後に第２通路（40）の出口側三方弁（43）を切り換えるようにし、暖房加湿運転の場合は、第２通路（40）の出口側三方弁（43）を切り換えた後に第１通路（30）の出口側三方弁（33）を切り換えるようにしたので、利用側の熱交換器（32,42）に対して冷水および温水を少しでも長く流通させることができる。したがって、水流れの切換時における除加湿の能力低下を一層抑制することができる。
【００８７】
また、第１サイクル動作および第２サイクル動作の切換前に、冷水の流れのみを切り換える中間状態を所定時間の間切り換えてから空気流れを切り換えるようにしたので、それまで第２空気を加湿していた吸着熱交換器（32,42）を冷水によって冷却することができる。したがって、空気流れの切換直後、第１空気がその吸着熱交換器（32,42）で加熱されて室内へ供給されることはないので、快適性を向上させることができる。
【００８８】
また、中間状態において、第１空気が吸着熱交換器（32,42）に残存する冷熱によって冷却されるので、中間状態においても快適性を損なうことはない。さらに、中間状態において、温水が何れの吸着熱交換器（32,42）へも流れないため、第１空気を確実に冷却して室内へ供給することができる。この結果、快適性を一層向上させることができる。
【００８９】
《発明の実施形態２》
本実施形態２の調湿装置（10）は、上記実施形態１が水回路（20）の流路切換手段として各種三方弁（31,33,41・・・）を用いたのに代えて、複数の二方弁（3a,4a,3b,・・・）を用いるようにしたものである。
【００９０】
図８に示すように、第１通路（30）は、第１入口（21）側から順に、第１二方弁（3a）、第１吸着熱交換器（32）および第２二方弁（3b）が設けられている。上記第２通路（40）は、第２入口（23）側から順に、第１二方弁（4a）、第２吸着熱交換器（42）および第２二方弁（4b）が設けられている。そして、上記第１通路（30）および第２通路（40）には、実施形態１と同様に、入口側分岐通路（34,44）と出口側分岐通路（35,45）とが接続されている。
【００９１】
上記第１通路（30）の入口側分岐通路（34）は、途中に第３二方弁（3c）が設けられ、一端が第１通路（30）における第１二方弁（3a）の上流側に接続され、他端が第２通路（40）における第１二方弁（4a）と第２吸着熱交換器（42）との間に接続されている。そして、上記第１通路（30）の第１二方弁（3a）と入口側分岐通路（34）の第３二方弁（3c）とは、温水用の入口側切換手段を構成している。
【００９２】
上記第１通路（30）の出口側分岐通路（35）は、途中に第４二方弁（3d）が設けられ、一端が第１通路（30）における第１吸着熱交換器（32）と第２二方弁（3b）との間に接続され、他端が第２通路（40）における第２二方弁（4b）の下流側に接続されている。そして、上記出口側分岐通路（35）の第４二方弁（3d）と第２通路（40）の第２二方弁（4b）とは、冷水用の出口側切換手段を構成している。
【００９３】
上記第２通路（40）の入口側分岐通路（44）は、途中に第３二方弁（4c）が設けられ、一端が第２通路（40）における第１二方弁（4a）の上流側に接続され、他端が第１通路（30）における第１二方弁（3a）と第１吸着熱交換器（32）との間に接続されている。そして、上記第２通路（40）の第１二方弁（4a）と入口側分岐通路（44）の第３二方弁（4c）とは、冷水用の入口側切換手段を構成している。
【００９４】
上記第２通路（40）の出口側分岐通路（45）は、途中に第４二方弁（4d）が設けられ、一端が第２通路（40）における第２吸着熱交換器（42）と第２二方弁（4b）との間に接続され、他端が第１通路（30）における第２二方弁（3b）の下流側に接続されている。そして、上記第１通路（30）の第２二方弁（3b）と出口側分岐通路（45）の第４二方弁（4d）とは、温水用の出口側切換手段を構成している。つまり、上記水回路（20）には、８個の二方弁が用いられている。
【００９５】
また、本実施形態においても、実施形態１と同様に、上記各入口側分岐通路（34,44）および各出口側分岐通路（35,45）は、水流れの切換の際に、各入口（21,23）と各出口（22,24）とが繋がるバイパス通路を兼用している。
【００９６】
次に、本実施形態における冷房除湿運転の動作について、図８〜図１２を参照しながら説明する。
【００９７】
先ず、図８に示すように、上記水回路（20）が第１サイクル動作を行う第１流れ状態に切り換えられる。具体的に、各第１二方弁（3a,4a）および各第２二方弁（3b,4b）が開状態に設定され、各第３二方弁（3c,4c）および各第４二方弁（3d,4d）が閉状態に設定される。なお、空気流れおよび冷温水の導入口は実施形態１と同様である。この状態で、第１入口（21）より導入された温水は、第１吸着熱交換器（32）で吸着剤および第２空気を加熱して第１出口（22）へ流れる。その際、第２空気の加湿が行われる。上記第２入口（23）より導入された冷水は、第２吸着熱交換器（42）で吸着剤および第１空気を冷却して第２出口（24）へ流れる。その際、第１空気の除湿が行われる。
【００９８】
上記水回路（20）は、第１サイクル動作が所定時間行われると、図９に示すように、各第４二方弁（3d,4d）が開状態に切り換えられる。この状態では、第１吸着熱交換器（32）を出た温水の一部が第１出口（22）へ流れると共に、残りが出口側分岐通路（35）を通って第２出口（24）へ流れる。また、上記第２吸着熱交換器（42）を出た冷水の一部が第１通路（30）の温水と合流して第２出口（24）へ流れると共に、残りが出口側分岐通路（45）を通って第１通路（30）の温水と合流して第１出口（22）へ流れる。すなわち、この状態では、第１入口（21）より導入された温水の出口へのルートが２つ確保され、第２入口（23）より導入された冷水の出口へのルートが２つ確保されることになる。
【００９９】
続いて、上記水回路（20）は、図１０に示すように、各第２二方弁（3b,4b）が閉状態に切り換えられる。この状態では、第１吸着熱交換器（32）を出た温水の全量が第２出口（24）へ流れ、第２吸着熱交換器（42）を出た冷水の全量が第１出口（22）へ流れる。ここで、各第２二方弁（3b,4b）が作動不良等を起こしても、予め冷水および温水の出口へのルートが２通り確保されているので、冷温水の流れが遮断されることはない。
【０１００】
続いて、上記水回路（20）は、図１１に示すように、各第３二方弁（3c,4c）がそれぞれ開状態に切り換えられる。この状態では、第１入口（21）より導入された温水の一部と第２入口（23）より導入された冷水の一部とが第１吸着熱交換器（32）を通って第２出口（24）へ流れる。また、第１入口（21）より導入された温水の残りと第２入口（23）より導入された冷水の残りとが第２吸着熱交換器（42）を通って第１出口（22）へ流れる。上記第１吸着熱交換器（32）は、冷水の流れが加わることにより多少は冷却される。一方、上記第２吸着熱交換器（42）は、温水の流れが加わることにより多少は加熱される。
【０１０１】
図１２に示すように、上記水回路（20）は、上述した状態から各第１二方弁（3a,4a）がそれぞれ閉状態に設定されると共に、空気流れが切り換わり、第２サイクル動作を行う第２流れ状態へ切り換えられる。ここで、各第１二方弁（3a,4a）が作動不良等を起こしても、予め冷水および温水の出口へのルートが２通り確保されているので、冷温水の流れが遮断されることはない。この第２サイクル動作では、第１入口（21）より導入された温水が第２吸着熱交換器（42）で吸着剤および第２空気を加熱して第１出口（22）へ流れる。その際、第２空気の加湿が行われる。上記第２入口（23）より導入された冷水は、第１吸着熱交換器（32）で吸着剤および第１空気を冷却して第２出口（24）へ流れる。その際、第１空気の除湿が行われる。
【０１０２】
上記第２サイクル動作から第１サイクル動作への切換は、図示しないが、各第２二方弁（3b,4b）が開状態に、各第４二方弁（3d,4d）が閉状態に順に切り換えられる。その後、各第１二方弁（3a,4a）が開状態に切り換えられた後、第３二方弁（3c,4c）が閉状態に切り換えられる。その際、第１空気が第２吸着熱交換器（42）へ流れ、第２空気が第１吸着熱交換器（32）へ流れるように空気流れが切り換わる。これで、第１サイクル動作への切換が完了する。このように、第１サイクル動作および第２サイクル動作が交互に切り換えられて冷房除湿運転が連続して行われる。
【０１０３】
次に、暖房加湿運転について説明する。この暖房加湿運転は、室内空気（RA）が第１空気として取り込まれて除湿された後室外へ排出され、室外空気（OA）が第２空気として取り込まれて加湿された後室内へ供給される。つまり、例えば、第１サイクル動作では、第１空気が第２吸着熱交換器（42）へ流れ、第２空気が第１吸着熱交換器（32）へ流れる。そして、この暖房加湿運転では、上述した冷房除湿運転時と同様の切換動作が行われて、第１サイクル動作および第２サイクル動作が切り換えられる。その他の構成、作用および効果は実施形態１と同様である。
【０１０４】
《発明の実施形態３》
本実施形態３の調湿装置（10）は、図１３に示すように、上記実施形態１の水回路（20）においてバイパス用三方弁（37）を有するバイパス通路（36）を第２通路（40）に追加したものである。つまり、本実施形態は、冷水用のバイパス通路（36）が温水用のバイパス通路（36）に加え、冷水用のバイパス通路（36）が追加されたものである。
【０１０５】
上記バイパス通路（36）は、第１通路（30）のものと同様に、一端が第２通路（40）における入口側三方弁（41）よりも第２入口（23）側に接続され、他端が第２通路（40）における出口側三方弁（43）よりも第２出口（24）側に接続されている。上記バイパス用三方弁（37）は、第２入口（23）よりバイパス通路（36）へ流れた冷水が、そのまま第２出口（24）側へ向かって流れる第２状態（図１に破線で示す状態）と、再び第２通路（40）に戻る第１状態（図１に実線で示す状態）とに切り換わるように構成されている。
【０１０６】
すなわち、上記バイパス通路（36）は、第２入口（23）より導入された冷水を第１吸着熱交換器（32）および第２吸着熱交換器（42）をバイパスさせてそのまま第２出口（24）へ流すことができるように構成されている。なお、本実施形態では、第１入口（21）より温水が固定的に導入され、第２入口（23）より冷水が固定的に導入される。したがって、本実施形態では、温水専用のバイパス通路（36）と、冷水専用のバイパス通路（36）とが設けられている。
【０１０７】
次に、本実施形態における冷房除湿運転の動作について、図１３〜図１７を参照しながら説明する。なお、ここでは、上述した実施形態１と異なる動作および作用についてのみ説明する。
【０１０８】
先ず、図１３に示すように、上記水回路（20）が第１サイクル動作を行うように切り換えられる。具体的に、２つのバイパス用三方弁（37）が共に第１状態に設定される。その後、図１４に示すように、２つのバイパス用三方弁（37）が第２状態に切り換えられる。
【０１０９】
続いて、図１５に示すように、各出口側三方弁（33,43）がほぼ同時に第２状態に切り換えられる。つまり、本実施形態では、上述したように、温水および冷水のそれぞれのバイパス通路（36）が設けられているため、各出口側三方弁（33,43）が作動不良を起こしても、温水および冷水の流れが遮断されるのを確実に防止することができる。したがって、配管等の破裂を防止できる。
【０１１０】
続いて、図１６に示すように、各入口側三方弁（31,41）がほぼ同時に第２状態に切り換えられる。この場合においても、各入口側三方弁（31,41）が作動不良を起こしても、上述したように、温水および冷水の流れが遮断されるのを確実に防止することができる。その後、図１７に示すように、２つのバイパス用三方弁（37）が共に第１状態に切り換えられて、第２サイクル動作への切換が完了する。このように、本実施形態の場合、切換動作のステップが少なくなるので、切換時間が短くなる。その他の構成、作用および効果は実施形態１と同様である。
【０１１１】
《発明の実施形態４》
本実施形態４の調湿装置（10）は、図１８および図１９に示すように、水回路（20）が温水のみ流れる回路に構成されている。具体的に、上記水回路（20）は、温水の入口（21）および出口（22）を１つずつ備えている。そして、上記水回路（20）は、実施形態１と同様の第１通路（30）と、実施形態１のものと構成を変更した第２通路（38）とを備えている。上記第１通路（30）は、入口（21）と出口（22）とを繋ぐものであり、入口（21）側から順に、入口側三方弁（31）、第１吸着熱交換器（32）および出口側三方弁（33）が設けられている。上記第２通路（38）は、途中に第２吸着熱交換器（42）を有し、入口側三方弁（31）と出口側三方弁（33）とに接続されている。
【０１１２】
上記水回路（20）は、入口側三方弁（31）および出口側三方弁（33）の切換により、図１８に示すように、入口（21）より導入された温水が第１吸着熱交換器（32）を通って出口（22）へ流れる第１サイクル動作（第１流れ状態）と、図１９に示すように、入口（21）より導入された温水が第２通路（38）へ流れて第２吸着熱交換器（42）を通った後、出口（22）へ流れる第２サイクル動作（第２流れ状態）とが交互に行われるように構成されている。つまり、上記入口側三方弁（31）および出口側三方弁（33）は、第１流れ状態と第２流れ状態とに温水流れを切り換える入口側切換手段および出口側切換手段を構成している。また、この調湿装置（10）は、冷房除湿運転と暖房加湿運転とが切換可能になっている。なお、図１８および図１９は、暖房加湿運転の動作を示すものである。
【０１１３】
例えば、暖房加湿運転の場合、温水が流れる第１吸着熱交換器（32）または第２吸着熱交換器（42）に室外空気（OA）を第２空気として取り込んで加湿した後、室内へ供給するように空気流れを切り換える（図１８および図１９参照）。また、冷房除湿運転の場合、図示しないが、温水が流れない第２吸着熱交換器（42）または第１吸着熱交換器（32）に室外空気（OA）を第１空気として取り込んで除湿した後、室内へ供給するように空気流れを切り換える。
【０１１４】
そして、上記水回路（20）は、バイパス通路（36）が設けられている。このバイパス通路（36）は、一端が第１通路（30）における入口側三方弁（31）よりも入口（21）側に接続され、他端が第１通路（30）における出口側三方弁（33）よりも出口（22）側に接続されている。このバイパス通路（36）には、バイパス遮断弁であるバイパス用二方弁（37）が設けられている。
【０１１５】
次に、暖房加湿運転時の第１サイクル動作から第２サイクル動作へ切換について説明する。先ず、第１サイクル動作が所定時間行われると、バイパス用二方弁（37）が開状態に切り換わる。続いて、出口側三方弁（33）を第２状態に切り換えてから入口側三方弁（41）を第２状態に切り換える。その後、バイパス用二方弁（37）を閉状態に切り換えると同時に空気流れを切り換える。
【０１１６】
このように、出口側三方弁（33）を入口側三方弁（31）よりも先に切り換えるようにしたので、第１吸着熱交換器（32）へ温水をできるだけ長く流すことができる。これにより、加湿能力の低下を抑制できる。ここで、予めバイパス用二方弁（37）を開いているので、出口側三方弁（33）を切り換えても、入口（21）より導入された温水をバイパス通路（36）を介して出口（22）へ確実に流すことができる。したがって、配管や熱交換器（32,42）に対して高圧が作用するのを防止できる。その他の構成、作用および効果は実施形態１と同様である。なお、本実施形態では、バイパス用二方弁（37）に三方弁を用いるようにしてもよいことは勿論である。
【０１１７】
−実施形態４の変形例−
本変形例は、図２０および図２１に示すように、上記実施形態４が水回路（20）を温水のみが流れる回路に構成したのに代えて、水回路（20）を冷水のみが流れる回路に構成したものである。さらに、本変形例は、上記実施形態４におけるバイパス通路（36）およびバイパス用二方弁（37）の設置位置を変更したものである。
【０１１８】
具体的に、上記水回路（20）は、入口側三方弁（31）および出口側三方弁（33）の切換により、入口（21）より導入された冷水が第１吸着熱交換器（32）を通って出口（22）へ流れる第１サイクル動作（図２０の状態）と、入口（21）より導入された冷水が第２通路（38）へ流れて第２吸着熱交換器（42）を通った後、出口（22）へ流れる第２サイクル動作（図２１の状態）とが交互に行われるように構成されている。また、この調湿装置（10）は、冷房除湿運転と暖房加湿運転とが切換可能になっている。なお、図２０および図２１は、冷房除湿運転の動作を示すものである。
【０１１９】
例えば、冷房除湿運転の場合、冷水が流れる第１吸着熱交換器（32）または第２吸着熱交換器（42）に室外空気（OA）を第１空気として取り込んで除湿した後、室内へ供給するように空気流れを切り換える（図２０および図２１参照）。また、暖房加湿運転の場合、図示しないが、冷水が流れない第２吸着熱交換器（42）または第１吸着熱交換器（32）に室外空気（OA）を第２空気として取り込んで加湿した後、室内へ供給するように空気流れを切り換える。
【０１２０】
上記バイパス通路（36）は、一端が第１通路（30）における第１吸着熱交換器（32）と出口側三方弁（33）との間に接続され、他端が第２通路（38）における第２吸着熱交換器（42）の下流側に接続されている。すなわち、このバイパス通路（36）は、第１吸着熱交換器（32）の下流側と第２吸着熱交換器（42）の下流側とに接続されている。そして、このバイパス通路（36）の途中には、バイパス遮断弁であるバイパス用二方弁（37）が設けられている。
【０１２１】
本変形例において、第１サイクル動作および第２サイクル動作の切換は、上記実施形態４と同様である。つまり、例えば冷房除湿運転時の第１サイクル動作から第２サイクル動作への切換において、出口側三方弁（33）を入口側三方弁（31）よりも先に切り換えるため、第１吸着熱交換器（32）へ冷水をできるだけ長く流すことができる。これにより、除湿能力の低下を抑制できる。ここで、予めバイパス用二方弁（37）を開いているので、出口側三方弁（33）を切り換えても、冷水の流れを遮断させることなく、第１吸着熱交換器（32）を出た冷水をバイパス通路（36）を介して第２通路（38）へ流し、出口側三方弁（33）を通じて出口（22）へ確実に流すことができる。したがって、配管や熱交換器（32,42）に対して高圧が作用するのを防止できる。
【０１２２】
なお、本実施形態では、バイパス通路（36）を第１吸着熱交換器（32）および第２吸着熱交換器（42）の上流側同士に接続してもよいし、上流側と下流側とに接続するようにしてもよい。
【０１２３】
《発明の実施形態５》
本実施形態５の調湿装置（10）は、図２２および図２３に示すように、実施形態１が流路切換手段として４つの三方弁（31,33,・・・）を用いるようにしたのに代えて、流路切換手段として２つの四方弁（3,4）を用いるようにしたものである。なお、本実施形態では、第１入口（21）より冷水が固定的に導入され、第２入口（23）より温水が固定的に導入される。
【０１２４】
具体的に、上記水回路（20）は、途中に第１吸着熱交換器（32）を有する第１通路（30）と、途中に第２吸着熱交換器（42）を有する第２通路（40）とを備えている。なお、本実施形態では、上記実施形態１における各種分岐通路（34,35,44,45）が省略されている。上記第１四方弁（3）は、第１通路（30）における第１吸着熱交換器（32）の第１入口（21）側と第２通路（40）における第２吸着熱交換器（42）の第２出口（24）側とに繋がっている。上記第２四方弁（4）は、第１通路（30）における第１吸着熱交換器（32）の第１出口（22）側と第２通路（40）における第２吸着熱交換器（42）の第２入口（23）側とに繋がっている。
【０１２５】
上記第１四方弁（3）は、第１入口（21）と第１吸着熱交換器（32）の一端とが連通すると共に第２吸着熱交換器（42）の一端と第２出口（24）とが連通する状態（図２２に実線で示す状態）と、第１入口（21）と第２吸着熱交換器（42）の一端とが連通すると共に第１吸着熱交換器（32）の一端と第２出口（24）とが連通する状態（図２３に実線で示す状態）とが切り換わるように構成されている。上記第２四方弁（4）は、第１吸着熱交換器（32）の他端と第１出口（22）とが連通すると共に第２入口（23）と第２吸着熱交換器（42）の他端とが連通する状態（図２２に実線で示す状態）と、第２入口（23）と第１吸着熱交換器（32）の他端とが連通すると共に第２吸着熱交換器（42）の他端と第１出口（22）とが連通する状態（図２３に実線で示す状態）とが切り換わるように構成されている。
【０１２６】
すなわち、上記水回路（20）は、第１四方弁（3）および第２四方弁（4）が図２２の実線で示す状態に切り換わると、冷水が第１吸着熱交換器（32）を通って第１出口（22）へ流れ、温水が第２吸着熱交換器（42）を通って第２出口（24）へ流れる第１サイクル動作を行う。その際、第１吸着熱交換器（32）で第１空気の除湿が行われ、第２吸着熱交換器（42）で第２空気の加湿が行われる。また、上記水回路（20）は、第１四方弁（3）および第２四方弁（4）が図２３の実線で示す状態に切り換わると、冷水が第２吸着熱交換器（42）を通って第１出口（22）へ流れ、温水が第１吸着熱交換器（32）を通って第２出口（24）へ流れる第２サイクル動作を行う。その際、第１吸着熱交換器（32）で第２空気の加湿が行われ、第２吸着熱交換器（42）で第１空気の除湿が行われる。
【０１２７】
上記調湿装置（10）は、冷房除湿運転と暖房加湿運転とが切換可能になっている。なお、図２０および図２１は、暖房加湿運転の動作を示すものである。
【０１２８】
例えば、暖房加湿運転の場合、温水が流れる第１吸着熱交換器（32）または第２吸着熱交換器（42）に室外空気（OA）を第２空気として取り込んで加湿した後、室内へ供給するように空気流れを切り換える（図２２および図２３参照）。また、冷房除湿運転の場合、図示しないが、冷水が流れる第２吸着熱交換器（42）または第１吸着熱交換器（32）に室外空気（OA）を第１空気として取り込んで除湿した後、室内へ供給するように空気流れを切り換える。
【０１２９】
また、上記水回路（20）には、２つのバイパス通路（36）が設けられている。このバイパス通路（36）は、第１通路（30）において、第１四方弁（3）より第１入口（21）側と第２四方弁（4）より第１出口（22）側との間に接続されている。もう１つのバイパス通路（36）は、第２通路（40）において、第１四方弁（3）より第２出口（24）側と第２四方弁（4）より第２入口（23）側との間に接続されている。
【０１３０】
上記各バイパス通路（36）には、バイパス遮断弁であるバイパス用二方弁（37）が設けられている。この各バイパス用二方弁（37）は、第１四方弁（3）および第２四方弁（4）を切り換える前に閉状態から開状態に切り換わるように構成されている。これにより、第１サイクル動作および第２サイクル動作の切換時に、例えば、第１四方弁（3）および第２四方弁（4）が共に作動不良によって中間開度状態となった場合でも、冷水および温水は各バイパス通路（36）を通って第１出口（22）および第２出口（24）へ流れるため、冷水および温水の流れが遮断されることはない。したがって、配管等の破裂を防止することができる。その他の構成、作用および効果は実施形態１と同様である。なお、本実施形態では、バイパス用二方弁（37）に三方弁を用いるようにしてもよいことは勿論である。
【０１３１】
《発明の実施形態６》
本実施形態６の調湿装置（10）は、図２４および図２５に示すように、実施形態１が水回路（20）にバイパス通路（36）およびバイパス用三方弁（37）を設けるようにしたのに代えて、２つのバッファタンク（39,49）を設けるようにしたものである。なお、図２４および図２５は、冷房除湿運転時の第１サイクル動作および第２サイクル動作を示す。
【０１３２】
上記各バッファタンク（39,49）は、第１通路（30）および第２通路（40）にそれぞれ設けられている。上記第１通路（30）のバッファタンク（39）は、第１吸着熱交換器（32）の上流側に設けられ、第２通路（40）の入口側分岐通路（44）と繋がっている。上記第２通路（40）のバッファタンク（49）は、第２吸着熱交換器（42）の上流側に設けられ、第１通路（30）の入口側分岐通路（34）と繋がっている。すなわち、この各バッファタンク（39,49）は、各出口側三方弁（33,43）の上流側に設けられ、少なくとも水流れの切換時に各入口（21,23）に連通する通路に設けられている。
【０１３３】
上記バッファタンク（39,49）は、所定容積を有する緩衝容器を構成している。したがって、例えば、第１通路（30）において第１サイクル動作から第２サイクル動作への切換時に、出口側三方弁（33）は第２状態に正常に切り換わり、入口側三方弁（31）は作動不良を起こした場合、第１入口（21）より導入された温水がバッファタンク（39）に貯留される。一方、第２通路（40）においても、例えば、出口側三方弁（43）は第２状態に正常に切り換わり、入口側三方弁（41）は作動不良を起こした場合、第２入口（23）より導入された冷水がバッファタンク（49）に貯留される。これにより、水流れの遮断により発生する高圧が抑制される。この結果、配管等を高圧から保護することができる。
【０１３４】
さらに、上記バッファタンク（39,49）は、全ての三方弁（31,33,・・・）の切換が正常に行われた場合、その切換により冷温水の流れが急激に切り換わるが、その水撃を吸収することができる。したがって、水流れの切換時において、配管等を水撃から保護できる。
【０１３５】
なお、本実施形態では、各バッファタンク（39,49）を第１吸着熱交換器（32）および第２吸着熱交換器（42）の上流側に設けるようにしたが、これに限らず、例えば各吸着熱交換器（32,42）の下流側に設けるようにしてもよいし、一方の吸着熱交換器（32,42）の上流側と他方の吸着熱交換器（42,32）の下流側とに設けるようにしてもよい。
【０１３６】
《発明の実施形態７》
本実施形態７の調湿装置（10）は、図２６および図２７に示すように、実施形態４が水回路（20）にバイパス通路（36）およびバイパス用三方弁（37）を設けるようにしたのに代えて、２つのバッファタンク（39,49）を設けるようにしたものである。なお、図２６および図２７は、暖房加湿運転時の第１サイクル動作および第２サイクル動作を示す。
【０１３７】
上記各バッファタンク（39,49）は、第１通路（30）および第２通路（38）にそれぞれ設けられている。上記第１通路（30）のバッファタンク（39）は、第１吸着熱交換器（32）と入口側三方弁（31）との間に設けられている。上記第２通路（40）のバッファタンク（49）は、第２吸着熱交換器（42）の上流側に設けられている。すなわち、この各バッファタンク（39,49）は、出口側三方弁（33）の上流側に設けられ、少なくとも水流れの切換時に入口（21）に連通する通路に設けられている。
【０１３８】
上記バッファタンク（39,49）は、所定容積を有する緩衝容器を構成している。したがって、例えば、第１サイクル動作から第２サイクル動作への切換時に、出口側三方弁（33）は第２状態に正常に切り換わり、入口側三方弁（31）は作動不良を起こした場合、第１入口（21）より導入された温水が第１通路（30）のバッファタンク（39）に貯留される。
【０１３９】
逆に、入口側三方弁（41）は第２状態に正常に切り換わり、出口側三方弁（43）が作動不良を起こした場合、第１入口（21）より導入された温水が第２通路（38）のバッファタンク（49）に貯留される。
【０１４０】
したがって、水流れの遮断によって発生する高圧がバッファタンク（39）に吸収され、配管等内の高圧が抑制される。これにより、水流れの遮断により発生する高圧が抑制される。この結果、配管等を高圧から保護することができる。
【０１４１】
さらに、上記バッファタンク（39,49）は、全ての三方弁（31,33,・・・）の切換が正常に行われた場合、その切換により冷温水の流れが急激に切り換わるが、その水撃を吸収することができる。したがって、水流れの切換時において、配管等を水撃から保護できる。
【０１４２】
なお、本実施形態では、各バッファタンク（39,49）を第１吸着熱交換器（32）および第２吸着熱交換器（42）の上流側に設けるようにしたが、これに限らず、例えば各吸着熱交換器（32,42）の下流側に設けるようにしてもよいし、一方の吸着熱交換器（32,42）の上流側と他方の吸着熱交換器（42,32）の下流側とに設けるようにしてもよい。
【０１４３】
《発明の実施形態８》
本実施形態８の調湿装置（10）は、図２８に示すように、実施形態１において水回路（20）を２つ並列に接続するようにしたものである。また、本実施形態では、２つの水回路（20a,20b）に共通の冷温水の各入口（21,23）および出口（22,24）が１組ずつ設けられている。つまり、第１入口（21）より導入された温水および第２入口（23）より導入された冷水が第１水回路（20a）と第２水回路（20b）とに分岐して流れる。
【０１４４】
この調湿装置（10）は、第１水回路（20a）および第２水回路（20b）で冷房除湿運転と暖房加湿運転とが切り換わる。つまり、第１水回路（20a）と第２水回路（20b）とは、別個独立に冷房除湿運転および暖房加湿運転を切り換えて行うことができる。この場合も、各水回路（20a,20b）において、第１サイクル動作および第２サイクル動作の切換時において、冷温水の流れが遮断される恐れはない。その他の構成、作用および効果は実施形態１と同様である。
【０１４５】
《その他の実施形態》
例えば、上記実施形態１または３の水回路（20）において、バイパス通路（36）の設置位置を実施形態４の変形例のように、第１吸着熱交換器（32）の上流側および下流側の何れかと、第２吸着熱交換器（42）の上流側および下流側の何れかとに接続するようにしてもよい。その場合、バイパス用三方弁（37）は、二方弁に構成される。
【０１４６】
なお、以上の実施形態は、本質的に好ましい例示であって、本発明、その適用物、あるいはその用途の範囲を制限することを意図するものではない。
【産業上の利用可能性】
【０１４７】
以上説明したように、本発明は、吸着熱交換器を有する水回路を備えた調湿装置として有用である。
【図面の簡単な説明】
【０１４８】
【図１】実施形態１に係る調湿装置の水回路を示す配管系統図である。
【図２】実施形態１に係る冷房除湿運転時の水回路を示す配管系統図である。
【図３】実施形態１に係る冷房除湿運転時の水回路を示す配管系統図である。
【図４】実施形態１に係る冷房除湿運転時の水回路を示す配管系統図である。
【図５】実施形態１に係る冷房除湿運転時の水回路を示す配管系統図である。
【図６】実施形態１に係る冷房除湿運転時の水回路を示す配管系統図である。
【図７】実施形態１に係る冷房除湿運転時の水回路を示す配管系統図である。
【図８】実施形態２に係る調湿装置の水回路を示す配管系統図である。
【図９】実施形態２に係る冷房除湿運転時の水回路を示す配管系統図である。
【図１０】実施形態２に係る冷房除湿運転時の水回路を示す配管系統図である。
【図１１】実施形態２に係る冷房除湿運転時の水回路を示す配管系統図である。
【図１２】実施形態２に係る冷房除湿運転時の水回路を示す配管系統図である。
【図１３】実施形態３に係る調湿装置の水回路を示す配管系統図である。
【図１４】実施形態３に係る冷房除湿運転時の水回路を示す配管系統図である。
【図１５】実施形態３に係る冷房除湿運転時の水回路を示す配管系統図である。
【図１６】実施形態３に係る冷房除湿運転時の水回路を示す配管系統図である。
【図１７】実施形態３に係る冷房除湿運転時の水回路を示す配管系統図である。
【図１８】実施形態４に係る調湿装置の水回路を示す配管系統図である。
【図１９】実施形態４に係る調湿装置の水回路を示す配管系統図である。
【図２０】実施形態４の変形例に係る調湿装置の水回路を示す配管系統図である。
【図２１】実施形態４の変形例に係る調湿装置の水回路を示す配管系統図である。
【図２２】実施形態５に係る調湿装置の水回路を示す配管系統図である。
【図２３】実施形態５に係る調湿装置の水回路を示す配管系統図である。
【図２４】実施形態６に係る調湿装置の水回路を示す配管系統図である。
【図２５】実施形態６に係る調湿装置の水回路を示す配管系統図である。
【図２６】実施形態７に係る調湿装置の水回路を示す配管系統図である。
【図２７】実施形態７に係る調湿装置の水回路を示す配管系統図である。
【図２８】実施形態８に係る調湿装置の水回路を示す配管系統図である。
【符号の説明】
【０１４９】
10        調湿装置
20        水回路
21,23     第１入口，第２入口
22,24     第１出口，第２出口
31,41     入口側三方弁（入口側切換手段）
33,43     出口側三方弁（出口側切換手段）
32        第１吸着熱交換器（第１熱交換器）
36        バイパス通路、入口側分岐通路、出口側分岐通路
37        バイパス用三方弁、バイパス用二方弁（バイパス遮断弁）
39,49     バッファタンク
42        第２吸着熱交換器（第２熱交換器）
【図１】
2006284079.tif 000003
【図２】
2006284079.tif 000004
【図３】
2006284079.tif 000005
【図４】
2006284079.tif 000006
【図５】
2006284079.tif 000007
【図６】
2006284079.tif 000008
【図７】
2006284079.tif 000009
【図８】
2006284079.tif 000010
【図９】
2006284079.tif 000011
【図１０】
2006284079.tif 000012
【図１１】
2006284079.tif 000013
【図１２】
2006284079.tif 000014
【図１３】
2006284079.tif 000015
【図１４】
2006284079.tif 000016
【図１５】
2006284079.tif 000017
【図１６】
2006284079.tif 000018
【図１７】
2006284079.tif 000019
【図１８】
2006284079.tif 000020
【図１９】
2006284079.tif 000021
【図２０】
2006284079.tif 000022
【図２１】
2006284079.tif 000023
【図２２】
2006284079.tif 000024
【図２３】
2006284079.tif 000025
【図２４】
2006284079.tif 000026
【図２５】
2006284079.tif 000027
【図２６】
2006284079.tif 000028
【図２７】
2006284079.tif 000029
【図２８】
2006284079.tif 000030
【手続補正書】
【提出日】平成18年8月21日(2006.8.21)
【手続補正１】
【補正対象書類名】特許請求の範囲
【補正対象項目名】全文
【補正方法】変更
【補正の内容】
【特許請求の範囲】
【請求項１】
吸着剤を有して空気中の水分の吸着と脱離による空気中への水分の放出とを行う第１熱交換器（32）および第２熱交換器（42）が接続され、冷水および温水の水が流れる水回路（20）を備え、
上記水回路（20）は、第１入口（21）より導入された温水が第１熱交換器（32）を通って第１出口（22）へ流れると共に、第２入口（23）より導入された冷水が第２熱交換器（42）を通って第２出口（24）へ流れる第１流れ状態と、第１入口（21）より導入された温水が第２熱交換器（42）を通って第１出口（22）へ流れると共に、第２入口（23）より導入された冷水が第１熱交換器（32）を通って第２出口（24）へ流れる第２流れ状態とに切り換わるように水流れを切り換え、第１熱交換器（32）および第２熱交換器（42）で水分の吸脱着を交互に行う調湿装置であって、
上記水回路（20）は、水流れを切り換える際に、第１入口（21）と第１出口（22）とが繋がるバイパス通路と、第２入口（23）と第２出口（24）とが繋がるバイパス通路の少なくとも何れか一方を備えている
ことを特徴とする調湿装置。
【請求項２】
吸着剤を有して空気中の水分の吸着と脱離による空気中への水分の放出とを行う第１熱交換器（32）および第２熱交換器（42）が接続され、冷水および温水の何れかの水が流れる水回路（20）を備え、
上記水回路（20）は、入口（21）より導入された水が第１熱交換器（32）を通って出口（22）へ流れる第１流れ状態と、入口（21）より導入された水が第２熱交換器（42）を通って出口（22）へ流れる第２流れ状態とに切り換わるように水流れを切り換え、第１熱交換器（32）および第２熱交換器（42）で水分の吸脱着を交互に行う調湿装置であって、
上記水回路（20）は、水流れを切り換える際に、入口（21）と出口（22）とが繋がるバイパス通路を備えている
ことを特徴とする調湿装置。
【請求項３】
請求項１または２において、
上記バイパス通路は、バイパス遮断弁（37）を有し、第１熱交換器（32）の上流側および下流側の何れかと、第２熱交換器（42）の上流側および下流側の何れかとに接続されている
ことを特徴とする調湿装置。
【請求項４】
吸着剤を有して空気中の水分の吸着と脱離による空気中への水分の放出とを行う第１熱交換器（32）および第２熱交換器（42）が接続され、冷水および温水の水が流れる水回路（20）を備え、
上記水回路（20）は、第１熱交換器（32）を有し、第１入口（21）と第１出口（22）とを繋ぐ第１通路（30）と、第２熱交換器（42）を有し、第２入口（23）と第２出口（24）とを繋ぐ第２通路（40）と、上記第１通路（30）および第２通路（40）の入口（21,23）側同士を繋ぐ入口側分岐通路（34,44）と、上記第１通路（30）および第２通路（40）の出口（22,24）側同士を繋ぐ出口側分岐通路（35,45）とを備える一方、第１入口（21）より導入された温水が第１熱交換器（32）を通って第１出口（22）へ流れると共に、第２入口（23）より導入された冷水が第２熱交換器（42）を通って第２出口（24）へ流れる第１流れ状態と、第１入口（21）より導入された温水が入口側分岐通路（34）を介して第２熱交換器（42）へ流れた後、出口側分岐通路（45）を介して第１出口（22）へ流れると共に、第２入口（23）より導入された冷水が入口側分岐通路（44）を介して第１熱交換器（32）へ流れた後、出口側分岐通路（35）を介して第２出口（24）へ流れる第２流れ状態とに切り換わるように水流れを切り換え、第１熱交換器（32）および第２熱交換器（42）で水分の吸脱着を交互に行う調湿装置であって、
上記水回路（20）は、水流れを切り換える際に、入口側分岐通路（34,44）および出口側分岐通路（35,45）によって第１入口（21）と第２出口（24）とが連通し且つ第２入口（23）と第１出口（22）とが連通するように構成されている
ことを特徴とする調湿装置。
【請求項５】
請求項１において、
上記水回路（20）は、第１流れ状態と第２流れ状態とに水流れを切り換えるための温水用の入口側切換手段（31）および出口側切換手段（33）と、冷水用の入口側切換手段（41）および出口側切換手段（43）とを備え、
上記バイパス通路は、バイパス遮断弁（37）を有し、温水用の入口側切換手段（31）の上流側と温水用の出口側切換手段（33）の下流側とに接続される温水用のバイパス通路、およびバイパス遮断弁（37）を有し、冷水用の入口側切換手段（41）の上流側と冷水用の出口側切換手段（43）の下流側とに接続される冷水用のバイパス通路の少なくとも何れか一方を備えている
ことを特徴とする調湿装置。
【請求項６】
請求項１において、
上記水回路（20）は、第１流れ状態と第２流れ状態とに水流れを切り換えるための温水用の入口側切換手段（31）および出口側切換手段（33）と、冷水用の入口側切換手段（41）および出口側切換手段（43）とを備え、
上記水流れの切換時に、各出口側切換手段（33,43）を切り換えた後に各入口側切換手段（31,41）を切り換える
ことを特徴とする調湿装置。
【請求項７】
請求項６において、
加湿運転の場合、上記水流れの切換時に、冷水用の出口側切換手段（43）を切り換えた後に温水用の出口側切換手段（33）を切り換える
ことを特徴とする調湿装置。
【請求項８】
請求項６において、
除湿運転の場合、上記水流れの切換時に、温水用の出口側切換手段（33）を切り換えた後に冷水用の出口側切換手段（43）を切り換える
ことを特徴とする調湿装置。
【請求項９】
請求項２において、
上記水回路（20）は、第１流れ状態と第２流れ状態とに水流れを切り換えるための入口側切換手段（31）および出口側切換手段（33）を備え、
上記バイパス通路は、バイパス遮断弁（37）を有し、入口側切換手段（31）の上流側と出口側切換手段（33）の下流側とに接続されている
ことを特徴とする調湿装置。
【請求項１０】
請求項２において、
上記水回路（20）は、第１流れ状態と第２流れ状態とに水流れを切り換えるための入口側切換手段（31）および出口側切換手段（33）を備え、
上記水流れの切換時に、出口側切換手段（33）を切り換えた後に入口側切換手段（31）を切り換える
ことを特徴とする調湿装置。
【手続補正２】
【補正対象書類名】明細書
【補正対象項目名】全文
【補正方法】変更
【補正の内容】
【発明の詳細な説明】
【技術分野】
【０００１】
本発明は、調湿装置に関し、特に、水回路を有してバッチ式の運転動作を行う調湿装置の配管等の保護対策に係るものである。
【背景技術】
【０００２】
従来より、吸着剤と冷凍サイクルとを用いて空気の湿度調節を行う調湿装置が知られている（例えば、特許文献１参照）。
【０００３】
上記調湿装置は、吸着剤を有する２つの吸着素子と冷凍サイクルを行う冷媒回路とを備えている。この調湿装置は、第１の吸着素子で第１空気を除湿すると共に冷媒回路の凝縮器で加熱された第２空気で第２の吸着素子を再生する第１動作と、第２の吸着素子で第１空気を除湿すると共に凝縮器で加熱された第２空気で第１の吸着素子を再生する第２動作とを行う。そして、この２つの動作が交互に繰り返され、除湿した第１空気または加湿した第２空気が室内へ供給される。
【０００４】
一方、上記吸着素子と熱交換器とを一体化し、吸着剤が担持された吸着熱交換器を用いることが考えられている。この場合、吸着熱交換器は、多数の板状のフィンと該フィンを貫通する銅管とを備えた、いわゆるフィン・アンド・チューブ型の熱交換器に構成されている。そして、このフィンおよび銅管の表面に吸着剤が担持されている。この熱交換器では、吸着剤によって流通空気の除加湿が行われると共に、銅管内を流れる冷媒によって吸着剤の加熱や冷却が行われる。
【０００５】
さらに、冷媒回路に代えて冷水や温水が流れる水回路を用いた調湿装置が考えられる。つまり、冷水と温水とを吸着熱交換器へ交互に流すことにより、その吸着剤の冷却や加熱が行われる。
【特許文献１】特開２００４−６０９５４号公報
【発明の開示】
【発明が解決しようとする課題】
【０００６】
しかしながら、上述した水回路を用いる従来の調湿装置では、水の流れを切り換える際に水の流れが閉塞される恐れがあるという問題があった。つまり、水の流れを切り換えるため、三方弁や四方弁を用いて切り換えるが、この三方弁等が作動不良等により正常に切り換わらなかった場合に水の流れが遮断される。これにより、水が非圧縮性流体であることから、配管や熱交換器内に高圧が作用し、最悪の場合にはそれらが破裂するという問題があった。
【０００７】
本発明は、斯かる点に鑑みてなされたものであり、その目的とするところは、水の流れを切り換えて吸着熱交換器の吸着剤にて水分の吸脱着を行う調湿装置において、水流れを切り換える際に切換弁の作動不良等により水流れが遮断された場合に、配管等内に作用する高圧を抑制することである。
【課題を解決するための手段】
【０００８】
第１の発明は、吸着剤を有して空気中の水分の吸着と脱離による空気中への水分の放出とを行う第１熱交換器（32）および第２熱交換器（42）が接続され、冷水および温水の水が流れる水回路（20）を備え、上記水回路（20）は、第１入口（21）より導入された温水が第１熱交換器（32）を通って第１出口（22）へ流れると共に、第２入口（23）より導入された冷水が第２熱交換器（42）を通って第２出口（24）へ流れる第１流れ状態と、第１入口（21）より導入された温水が第２熱交換器（42）を通って第１出口（22）へ流れると共に、第２入口（23）より導入された冷水が第１熱交換器（32）を通って第２出口（24）へ流れる第２流れ状態とに切り換わるように水流れを切り換え、第１熱交換器（32）および第２熱交換器（42）で水分の吸脱着を交互に行う調湿装置を前提としている。そして、上記水回路（20）は、水流れを切り換える際に、第１入口（21）と第１出口（22）とが繋がるバイパス通路と、第２入口（23）と第２出口（24）とが繋がるバイパス通路の少なくとも何れか一方を備えている。
【０００９】
上記の発明では、冷水が流れる第１熱交換器（32）または第２熱交換器（42）において、通過する空気中の水分が吸着剤に吸着されて、該空気が除湿される。一方、温水が流れる第２熱交換器（42）または第１熱交換器（32）において、吸着剤から脱離した水分が通過する空気中へ放出されて、該空気が加湿される。そして、上記水回路（20）は、冷水および温水が第１熱交換器（32）および第２熱交換器（42）を交互に流れるように水の流れを切り換えて、空気の除加湿が連続的に行われる。
【００１０】
上記水回路（20）における水の流れの切換は、例えば三方弁や四方弁等の流路切換弁を切換によって行われる。ここで、流路切換弁が作動不良等により全く切り換わらなっかたり、中間開度状態で保持されると、水の流れが遮断される恐れがある。そうなると、水が非圧縮性流体であることから、配管や熱交換器（32,42）等に高圧が作用してしまう。
【００１１】
ところが、本発明では、流路切換弁の切換時において、つまり水流れを切り換える際に第１入口（21）と第１出口（22）とが繋がるバイパス通路と、第２入口（23）と第２出口（24）とが繋がるバイパス通路の少なくとも何れか一方を備えているので、流路切換弁が作動不良等を起こした場合、各入口（21,23）より導入された水が確実に各出口（22,24）へ流れる。したがって、水流れが遮断されることはなく、配管等に高圧が作用するのを防止できる。
【００１２】
また、第２の発明は、吸着剤を有して空気中の水分の吸着と脱離による空気中への水分の放出とを行う第１熱交換器（32）および第２熱交換器（42）が接続され、冷水および温水の何れかの水が流れる水回路（20）を備え、上記水回路（20）は、入口（21）より導入された水が第１熱交換器（32）を通って出口（22）へ流れる第１流れ状態と、入口（21）より導入された水が第２熱交換器（42）を通って出口（22）へ流れる第２流れ状態とに切り換わるように水流れを切り換え、第１熱交換器（32）および第２熱交換器（42）で水分の吸脱着を交互に行う調湿装置を前提としている。そして、上記水回路（20）は、水流れを切り換える際に、入口（21）と出口（22）とが繋がるバイパス通路を備えている。
【００１３】
上記の発明では、例えば、水回路（20）を冷水のみが流れる場合、冷水が流れる第１熱交換器（32）または第２熱交換器（42）において、通過する空気中の水分が吸着剤に吸着されて、該空気が除湿される。一方、冷水が流れない第２熱交換器（42）または第１熱交換器（32）において、吸着剤から自然脱離した水分が通過する空気中へ放出されて、該空気が加湿される。
【００１４】
また、上記水回路（20）を温水のみが流れる場合、温水が流れる第１熱交換器（32）または第２熱交換器（42）において、吸着剤から脱離した水分が通過する空気中へ放出されて、該空気が加湿される。一方、温水が流れない第２熱交換器（42）または第１熱交換器（32）において、通過する空気中の水分が吸着剤に吸着されて、該空気が除湿される。そして、上記水回路（20）は、冷水または温水が第１熱交換器（32）および第２熱交換器（42）を交互に流れるように水の流れが流路切換弁によって切り換えられる。
【００１５】
ここで、上述した第１の発明と同様に、流路切換弁が作動不良等を起こしても、各入口（21,23）より導入された水が確実に各出口（22,24）へ流れる。したがって、水流れが遮断されることはなく、配管等に高圧が作用するのを防止できる。
【００１６】
また、第３の発明は、上記第１または第２の発明において、上記バイパス通路は、バイパス遮断弁（37）を有し、第１熱交換器（32）の上流側および下流側の何れかと、第２熱交換器（42）の上流側および下流側の何れかとに接続されている。
【００１７】
上記の発明では、水流れの切換時の際、例えば水が第１熱交換器（32）を通るルートを流れていた場合、流路切換弁が作動不良を起こして該ルートが遮断されても、バイパス遮断弁（37）を開くことにより該水がバイパス通路を介して第２熱交換器（42）を通るルートへ流れ、そのまま出口（22,24）へ流れる。また、第２熱交換器（42）を通るルートが遮断された場合も同様に、水がバイパス通路を介して第１熱交換器（32）のルートへ流れて出口（22,24）より排出される。したがって、水流れの遮断が防止される。
【００１８】
また、第４の発明は、吸着剤を有して空気中の水分の吸着と脱離による空気中への水分の放出とを行う第１熱交換器（32）および第２熱交換器（42）が接続され、冷水および温水の水が流れる水回路（20）を備え、上記水回路（20）は、第１熱交換器（32）を有し、第１入口（21）と第１出口（22）とを繋ぐ第１通路（30）と、第２熱交換器（42）を有し、第２入口（23）と第２出口（24）とを繋ぐ第２通路（40）と、上記第１通路（30）および第２通路（40）の入口（21,23）側同士を繋ぐ入口側分岐通路（34,44）と、上記第１通路（30）および第２通路（40）の出口（22,24）側同士を繋ぐ出口側分岐通路（35,45）とを備える一方、第１入口（21）より導入された温水が第１熱交換器（32）を通って第１出口（22）へ流れると共に、第２入口（23）より導入された冷水が第２熱交換器（42）を通って第２出口（24）へ流れる第１流れ状態と、第１入口（21）より導入された温水が入口側分岐通路（34）を介して第２熱交換器（42）へ流れた後、出口側分岐通路（45）を介して第１出口（22）へ流れると共に、第２入口（23）より導入された冷水が入口側分岐通路（44）を介して第１熱交換器（32）へ流れた後、出口側分岐通路（35）を介して第２出口（24）へ流れる第２流れ状態とに切り換わるように水流れを切り換え、第１熱交換器（32）および第２熱交換器（42）で水分の吸脱着を交互に行う調湿装置を前提としている。そして、上記水回路（20）は、水流れを切り換える際に、入口側分岐通路（34,44）および出口側分岐通路（35,45）によって第１入口（21）と第２出口（24）とが連通し且つ第２入口（23）と第１出口（22）とが連通するように構成されている。
【００１９】
上記の発明では、冷水が流れる第１熱交換器（32）または第２熱交換器（42）において、通過する空気中の水分が吸着剤に吸着されて、該空気が除湿される。一方、温水が流れる第２熱交換器（42）または第１熱交換器（32）において、吸着剤から脱離した水分が通過する空気中へ放出されて、該空気が加湿される。そして、上記水回路（20）は、冷水および温水が第１熱交換器（32）および第２熱交換器（42）を交互に流れるように水の流れを切り換えて、空気の除加湿が連続的に行われる。
【００２０】
ここで、本発明では、入口側分岐通路（34,44）および出口側分岐通路（35,45）によって第１入口（21）と第２出口（24）とが連通し且つ第２入口（23）と第１出口（22）とが連通するようにした。したがって、水流れを切り換える際に、水流れを切り換えるための二方弁等の流路切換弁が作動不良等を起こしても、各入口（21,23）より導入された水が確実に各出口（22,24）へ流れる。これにより、水流れが遮断されることはなく、配管等に高圧が作用するのを防止できる。
【００２１】
また、第５の発明は、上記第１の発明において、上記水回路（20）が、第１流れ状態と第２流れ状態とに水流れを切り換えるための温水用の入口側切換手段（31）および出口側切換手段（33）と、冷水用の入口側切換手段（41）および出口側切換手段（43）とを備えている。そして、上記バイパス通路は、バイパス遮断弁（37）を有し、温水用の入口側切換手段（31）の上流側と温水用の出口側切換手段（33）の下流側とに接続される温水用のバイパス通路、およびバイパス遮断弁（37）を有し、冷水用の入口側切換手段（41）の上流側と冷水用の出口側切換手段（43）の下流側とに接続される冷水用のバイパス通路の少なくとも何れか一方を備えている。
【００２２】
上記の発明では、水流れの切換時において温水用のバイパス遮断弁（37）を開くことにより、温水用の入口側切換手段（31）および出口側切換手段（33）の両方が作動不良で中間開度状態になった場合でも、第１入口（21）より導入された温水が温水用のバイパス通路を通って第１出口（22）へ確実に流れる。また、水流れの切換時において冷水用のバイパス遮断弁（37）を開くことにより、冷水用の入口側切換手段（41）および出口側切換手段（43）の両方が中間開度状態になった場合でも、第２入口（23）より導入された冷水が冷水用のバイパス通路を通って第２出口（24）へ確実に流れる。したがって、少なくとも冷温水の何れか一方の水流れの遮断が回避され、配管等に高圧が作用するのを抑制できる。
【００２３】
また、第６の発明は、上記第１の発明において、上記水回路（20）が、第１流れ状態と第２流れ状態とに水流れを切り換えるための温水用の入口側切換手段（31）および出口側切換手段（33）と、冷水用の入口側切換手段（41）および出口側切換手段（43）とを備えている。そして、本発明は、上記水流れの切換時に、各出口側切換手段（33,43）を切り換えた後に各入口側切換手段（31,41）を切り換える。
【００２４】
上記の発明では、水流れの切換時に、各出口側切換手段（33,43）から先に切り換えられるので、各入口側切換手段（31,41）を先に切り換える場合に比べて、冷水および温水を切換完了まで所定の第１熱交換器（32）または第２熱交換器（42）へ流し続けることができる。これにより、水流れの切換時における除加湿能力の低下が抑制される。
【００２５】
また、第７の発明は、上記第６の発明において、加湿運転の場合、上記水流れの切換時に、冷水用の出口側切換手段（43）を切り換えた後に温水用の出口側切換手段（33）を切り換える。
【００２６】
上記の発明では、加湿運転の場合、温水が流れる第１熱交換器（32）または第２熱交換器（42）で加湿された空気が利用側へ供給される。ここで、水流れの切換時に、冷水用の出口側切換手段（43）を先に切り換えるので、温水用の出口側切換手段（33）が切り換えられるまでの間、冷水の流れが遮断されることになる。つまり、この水流れの切換時において、温水が冷水よりも第１熱交換器（32）または第２熱交換器（42）を長い時間流れることになる。したがって、加湿能力の低下が抑制される。
【００２７】
また、第８の発明は、上記第６の発明において、除湿運転の場合、上記水流れの切換時に、温水用の出口側切換手段（33）を切り換えた後に冷水用の出口側切換手段（43）を切り換える。
【００２８】
上記の発明では、除湿運転の場合、冷水が流れる第１熱交換器（32）または第２熱交換器（42）で除湿された空気が利用側へ供給される。ここで、水流れの切換時に、温水用の出口側切換手段（33）を先に切り換えるので、冷水用の出口側切換手段（43）が切り換えられるまでの間、温水の流れが遮断されることになる。つまり、この水流れの切換時において、冷水が温水よりも第１熱交換器（32）または第２熱交換器（42）を長い時間流れることになる。したがって、除湿能力の低下が抑制される。
【００２９】
また、第９の発明は、上記第２の発明において、上記水回路（20）が、第１流れ状態と第２流れ状態とに水流れを切り換えるための入口側切換手段（31）および出口側切換手段（33）を備えている。そして、上記バイパス通路は、バイパス遮断弁（37）を有し、入口側切換手段（31）の上流側と出口側切換手段（33）の下流側とに接続されている。
【００３０】
上記の発明では、水流れの切換時においてバイパス遮断弁（37）を開くことにより、入口側切換手段（31）および出口側切換手段（33）の両方が作動不良で中間開度状態になった場合でも、入口（21）より導入された冷水または温水がバイパス通路を通って出口（22）へ確実に流れる。したがって、水流れの遮断が回避され、配管等に高圧が作用するのを防止できる。
【００３１】
また、第１０の発明は、上記第２の発明において、上記水回路（20）が、第１流れ状態と第２流れ状態とに水流れを切り換えるための入口側切換手段（31）および出口側切換手段（33）を備えている。そして、本発明は、上記水流れの切換時に、出口側切換手段（33）を切り換えた後に入口側切換手段（31）を切り換える。
【００３２】
上記の発明では、水流れの切換時に、出口側切換手段（33）から先に切り換えられるので、入口側切換手段（31）を先に切り換える場合に比べて、冷水または温水を水流れの切換完了まで所定の第１熱交換器（32）または第２熱交換器（42）へ少しでも長く流し続けることができる。これにより、水流れの切換時における除加湿能力の低下が抑制される。
【発明の効果】
【００３３】
したがって、本発明によれば、水流れを切り換える際に第１入口（21）と第１出口（22）とが繋がるバイパス通路と、第２入口（23）と第２出口（24）とが繋がるバイパス通路の少なくとも何れか一方を設けるようにしたので、流路切換弁が作動不良を起こしても、冷水および温水を確実にバイパス通路を介して各出口（22,24）へ排出させることができる。したがって、水流れの遮断を防止することができるので、配管や熱交換器（32,42）へ高圧が作用するのを防止できる。この結果、装置を保護することができる。
【００３４】
また、第２の発明によれば、冷水のみまたは温水のみが流れる水回路（20）においても、流路切換弁が作動不良を起こしても、冷水または温水を確実にバイパス通路を介して出口（22）へ排出させることができる。したがって、配管や熱交換器（32,42）へ高圧が作用するのを防止でき、装置を保護することができる。
【００３５】
また、第３の発明によれば、第１熱交換器（32）の上流側および下流側の何れかと、第２熱交換器（42）の上流側および下流側の何れかとに接続されるバイパス通路を設けるようにしたので、例えば第１熱交換器（32）を通るルートで水の流れが遮断されても、そのルートを流れていた水を第２熱交換器（42）を通るルートへ流して、そのまま出口（22,24）から排出させることができる。これにより、配管等への高圧の作用を防止することができる。
【００３６】
また、第５の発明によれば、温水用のバイパス通路を温水用の入口側切換手段（31）の上流側と温水用の出口側切換手段（33）の下流側とに接続し、冷水用のバイパス通路を冷水用の入口側切換手段（41）の上流側と冷水用の出口側切換手段（43）の下流側とに接続するようにしたので、各入口側切換手段（31,41）および各出口側切換手段（33,43）の両方が中間開度状態になった場合でも、確実に冷水または温水を各バイパス通路を通じて各出口（22,24）へ流すことができる。したがって、冷温水流れの遮断を回避できるので、配下等を高水圧から保護することができる。
【００３７】
また、第６の発明によれば、水流れの切換時に、冷水用および温水用の各出口側切換手段（33,43）を切り換えた後に各入口側切換手段（31,41）を切り換えるようにしたので、その水流れの切換時の間、冷水および温水を所定の第１熱交換器（32）および第２熱交換器（42）へ少しでも長く流通させることができる。したがって、水流れの切換時において除加湿の能力低下を抑制することができる。
【００３８】
また、第７または第８の発明によれば、加湿運転の場合には、冷水用の出口側切換手段（43）を切り換えた後に温水用の出口側切換手段（33）を切り換え、除湿運転の場合には、温水用の出口側切換手段（33）を切り換えた後に冷水用の出口側切換手段（43）を切り換えるようにしたので、水流れの切換時において、加湿または除湿した空気を利用側へ供給する熱交換器（32,42）に対して温水または冷水を少しでも長い時間流すことができる。したがって、水流れの切換時における除加湿の能力低下を抑制できる。
【００３９】
また、第９の発明によれば、バイパス通路を入口側切換手段（31）の上流側と出口側切換手段（33）の下流側とに接続するようにしたので、入口側切換手段（31）および出口側切換手段（33）の両方が中間開度状態になった場合でも、確実に冷水または温水をバイパス通路を通じて出口（22）へ流すことができる。したがって、水流れが遮断されるのを確実に回避できるので、配下等を高水圧から保護することができる。
【００４０】
また、第１０の発明によれば、水流れの切換時に、水の出口側切換手段（33）を切り換えた後に入口側切換手段（31）を切り換えるようにしたので、その水流れの切換時の間、冷水または温水を所定の第１熱交換器（32）および第２熱交換器（42）へ少しでも長く流通させることができる。したがって、水流れの切換時において各熱交換器（32,42）の除湿または加湿の能力低下を抑制することができる。
【発明を実施するための最良の形態】
【００４１】
以下、本発明の実施形態を図面に基づいて詳細に説明する。
【００４２】
《発明の実施形態１》
図１に示すように、本実施形態の調湿装置（10）は、室内空気の除湿と加湿とを行うものである。この調湿装置（10）は、冷水と温水が流れる水回路（20）を備えると共に、第１空気および第２空気を取り込んで流通させる空気通路（図示せず）を備えている。
【００４３】
上記水回路（20）には、温水用の第１入口（21）および第１出口（22）と、冷水用の第２入口（23）および第２出口（24）とが設けられている。
【００４４】
上記水回路（20）は、第１通路（30）および第２通路（40）を備えている。上記第１通路（30）は、第１入口（21）と第１出口（22）とを繋ぐ通路であり、第２通路（40）は、第２入口（23）と第２出口（24）とを繋ぐ通路である。
【００４５】
上記第１通路（30）は、第１入口（21）側から順に、入口側三方弁（31）、第１吸着熱交換器（32）および出口側三方弁（33）が設けられている。上記第２通路（40）は、第２入口（23）側から順に、入口側三方弁（41）、第２吸着熱交換器（42）および出口側三方弁（43）が設けられている。
【００４６】
上記第１通路（30）および第２通路（40）には、それぞれ入口側分岐通路（34,44）と出口側分岐通路（35,45）とが接続されている。上記第１通路（30）の入口側分岐通路（34）は、一端が第１通路（30）の入口側三方弁（31）に接続され、他端が第２通路（40）における入口側三方弁（41）と第２吸着熱交換器（42）との間に接続されている。上記第１通路（30）の出口側分岐通路（35）は、一端が第１通路（30）における第１吸着熱交換器（32）と出口側三方弁（33）との間に接続され、他端が第２通路（40）の出口側三方弁（43）に接続されている。上記第２通路（40）の入口側分岐通路（44）は、一端が第２通路（40）の入口側三方弁（41）に接続され、他端が第１通路（30）における入口側三方弁（31）と第１吸着熱交換器（32）との間に接続されている。上記第２通路（40）の出口側分岐通路（45）は、一端が第２通路（40）における第２吸着熱交換器（42）と出口側三方弁（43）との間に接続され、他端が第１通路（30）の出口側三方弁（33）に接続されている。
【００４７】
上記第１通路（30）の入口側三方弁（31）は、第１入口（21）側が、第１吸着熱交換器（32）の上流側と連通する第１状態（図１に実線で示す状態）と、入口側分岐通路（34）と連通する第２状態（図１に破線で示す状態）とに切り換わるように構成されている。上記第１通路（30）の出口側三方弁（33）は、第１出口（22）側が、第１吸着熱交換器（32）の下流側と連通する第１状態（図１に実線で示す状態）と、出口側分岐通路（45）と連通する第２状態（図１に破線で示す状態）とに切り換わるように構成されている。上記第２通路（40）の入口側三方弁（41）は、第２入口（23）側が、第２吸着熱交換器（42）の上流側と連通する第１状態（図１に実線で示す状態）と、入口側分岐通路（44）と連通する第２状態（図１に破線で示す状態）とに切り換わるように構成されている。上記第２通路（40）の出口側三方弁（43）は、第２出口（24）側が、第２吸着熱交換器（42）の下流側と連通する第１状態（図１に実線で示す状態）と、出口側分岐通路（35）と連通する第２状態（図１に破線で示す状態）とに切り換わるように構成されている。
【００４８】
上記第１吸着熱交換器（32）および第２吸着熱交換器（42）は、それぞれクロスフィン式のフィン・アンド・チューブ型熱交換器により構成されている。つまり、上記第１吸着熱交換器（32）および第２吸着熱交換器（42）は、長方形板状に形成されたアルミニウム製の多数のフィンと、該フィンを貫通する銅製の伝熱管とを備えている。
【００４９】
上記フィンおよび伝熱管の外表面には、水分の吸脱着可能な吸着剤が接着剤であるバインダーと共にディップ成形（浸漬成形）により担持されている。上記吸着剤には、ゼオライト、シリカゲル、活性炭、親水性または吸水性を有する有機高分子ポリマー系材料、カルボン酸基またはスルホン酸基を有するイオン交換樹脂系材料、感温性高分子等の機能性高分子材料などが用いられる。そして、上記第１吸着熱交換器（32）が第１熱交換器を構成し、第２吸着熱交換器（42）が第２熱交換器を構成している。
【００５０】
上記水回路（20）は、温水が第１入口（21）から第１吸着熱交換器（32）を経て第１出口（22）へ流れると共に、冷水が第２入口（23）から第２吸着熱交換器（42）を経て第２出口（24）へ流れる第１サイクル動作と、温水が第１入口（21）から第２吸着熱交換器（42）を経て第１出口（22）へ流れると共に、冷水が第２入口（23）から第１吸着熱交換器（32）を経て第２出口（24）へ流れる第２サイクル動作とを交互に繰り返すように冷温水の流れおよび空気の流れが切り換えられる。つまり、上記水回路（20）は、冷温水の流れが切り換えられて、第１サイクル動作を行う第１流れ状態と、第２サイクル動作を行う第２流れ状態とに切り換わる。
【００５１】
上記第１通路（30）の入口側三方弁（31）および出口側三方弁（33）は、第１流れ状態と第２流れ状態とに水流れを切り換えるための温水用の入口側切換手段および出口側切換手段を構成している。また、上記第２通路（40）の入口側三方弁（41）および出口側三方弁（43）は、第１流れ状態と第２流れ状態とに水流れを切り換えるための冷水用の入口側切換手段および出口側切換手段を構成している。
【００５２】
具体的に、上記第１サイクル動作では、第２吸着熱交換器（42）で第１空気の水分が吸着剤に吸着されて該第１空気の除湿が行われると同時に、該第１空気および吸着剤が冷水によって冷却される一方、第１吸着熱交換器（32）で吸着剤より水分が第２空気へ放出されて該第２空気の加湿が行われると同時に、該第２空気および吸着剤が温水によって加熱される。また、上記第２サイクル動作では、第１吸着熱交換器（32）で第１空気の水分が吸着剤に吸着されて該第１空気の除湿が行われると同時に、該第１空気および吸着剤が冷水によって冷却される一方、第２吸着熱交換器（42）で吸着剤より水分が第２空気へ放出されて該第２空気の加湿が行われると同時に、該第２空気および吸着剤が温水によって加熱される。
【００５３】
上記調湿装置（10）は、冷房除湿運転と暖房加湿運転とが切り換わるように構成されている。上記冷房除湿運転時には、第１空気が室内へ供給されると共に第２空気が室外へ排出され、暖房加湿運転時には、第２空気が室内へ供給されると共に第１空気が室外へ排出されるように空気の流れが切り換えられる。
【００５４】
また、上記調湿装置（10）は、本発明の特徴として、バイパス用三方弁（37）を有するバイパス通路（36）が設けられている。このバイパス通路（36）は、一端が第１通路（30）における入口側三方弁（31）よりも上流側に接続され、他端が第１通路（30）における出口側三方弁（33）よりも下流側に接続されている。
【００５５】
上記バイパス用三方弁（37）は、温水がバイパス通路（36）を通じてバイパスするのを遮断するためのバイパス遮断弁を構成している。具体的に、このバイパス用三方弁（37）は、第１入口（21）よりバイパス通路（36）へ流れた温水が、そのまま第１出口（22）側へ向かって流れる第２状態（図１に破線で示す状態）と、再び第１通路（30）に戻る第１状態（図１に実線で示す状態）とに切り換わるように構成されている。
【００５６】
つまり、上記バイパス通路（36）は、水流れの切換時にバイパス用三方弁（37）を第２状態に切り換え、第１入口（21）より導入された温水を第１吸着熱交換器（32）および第２吸着熱交換器（42）と、入口側三方弁（31）および出口側三方弁（33）とをバイパスさせて第１出口（22）へ流すことができるように構成されている。さらに言えば、上記バイパス通路（36）は、水流れの切換時の際に、第１入口（21）と第１出口（22）とが繋がる通路を構成している。
【００５７】
また、上記水回路（20）において、第１通路（30）の出口側分岐通路（35）および第２通路（40）の出口側分岐通路（45）は、水流れの切換の際に、各入口（21,23）と各出口（22,24）とが繋がる連通路を兼ねている。
【００５８】
また、上記調湿装置（10）は、第１サイクル動作および第２サイクル動作の切換の際、水流れを切り換えてから所定時間後に、空気流れを切り換えるように構成されている。具体的に、上記水回路（20）は、冷温水の流れを切り換える際、各出口側三方弁（33,43）を切り換えてから各入口側三方弁（31,41）を切り換えるように構成されている。
【００５９】
さらに、例えば冷房除湿運転の場合は、温水用である第１通路（30）の出口側三方弁（33）を切り換えた後に、冷水用である第２通路（40）の出口側三方弁（43）を切り換える。一方、暖房加湿運転の場合は、冷水用である第２通路（40）の出口側三方弁（43）を切り換えた後に、温水用である第１通路（30）の出口側三方弁（33）を切り換える。
【００６０】
−運転動作−
上記調湿装置（10）の運転動作について説明する。この調湿装置（10）では、冷房除湿運転と暖房加湿運転とが切り換え可能になっている。
【００６１】
先ず、冷房除湿運転について説明する。この冷房除湿運転は、除湿した第１空気を室内へ供給する運転である。ここでは、主として第１サイクル動作から第２サイクル動作への切換動作について、図１〜図７を参照しながら説明する。
【００６２】
図１に示すように、上記水回路（20）が第１サイクル動作を行う第１流れ状態に切り換えられる。具体的に、各入口側三方弁（31,41）および各出口側三方弁（33,43）が第１状態に設定され、バイパス用三方弁（37）が第１状態に設定される。また、この調湿装置（10）は、室外空気（OA）が第１空気として第２吸着熱交換器（42）へ流れ、室内空気（RA）が第２空気として第１吸着熱交換器（32）へ流れるように空気流れが設定される。そして、温水が第１入口（21）より導入され、冷水が第２入口（23）より導入される。
【００６３】
先ず、上記第１入口（21）より導入された温水は、入口側三方弁（31）を通って第１吸着熱交換器（32）へ流れる。この第１吸着熱交換器（32）では、温水によって吸着剤および第２空気が加熱され、その際、吸着剤より水分が第２空気へ放出されて該第２空気の加湿が行われる。その後、この第２空気は、排出空気（EA）として室外へ排出される。上記第１吸着熱交換器（32）を出た温水は、出口側三方弁（33）を通って第１出口（22）より排出される。
【００６４】
一方、上記第２入口（23）より導入された冷水は、入口側三方弁（41）を通って第２吸着熱交換器（42）へ流れる。この第２吸着熱交換器（42）では、冷水によって吸着剤および第１空気が冷却され、その際、第１空気中の水分が吸着剤に吸着されて該第１空気の除湿が行われる。その後、この第１空気は、供給空気（SA）として室内へ供給される。上記第２吸着熱交換器（42）を出た冷水は、出口側三方弁（43）を通って第２出口（24）より排出される。つまり、この第１サイクル動作において、温水は第１通路（30）のみを流れ、冷水は第２通路（40）のみを流れる。
【００６５】
上記水回路（20）は、第１サイクル動作が所定時間行われると、バイパス用三方弁（37）、第１通路（30）の出口側三方弁（33）、第２通路（40）の出口側三方弁（43）、第２通路（40）の入口側三方弁（41）、第１通路（30）の入口側三方弁（31）が順に第２状態に切り換えられる。
【００６６】
先ず、図２示すように、上記バイパス用三方弁（37）が第２状態に切り換わると、第１入口（21）より導入された温水の一部が第１吸着熱交換器（32）へ向かって流れると共に、残りが第１通路（30）からバイパス通路（36）へ分岐して第１出口（22）へ流れる。つまり、この状態では、温水の第１入口（21）から第１出口（22）までのルートが２つ確保される。
【００６７】
続いて、図３に示すように、第１通路（30）の出口側三方弁（33）が第２状態に切り換えられると、第１入口（21）より導入された温水の全量がバイパス通路（36）を通って第１出口（22）へ流れる。一方、第２吸着熱交換器（42）を出た冷水の一部が第２出口（24）へ流れると共に、残りが第２通路（40）から出口側分岐通路（45）へ分岐し、第１通路（30）の出口側三方弁（33）を通って第１出口（22）へ流れる。このように、第１通路（30）の出口側三方弁（33）の切換前にバイパス用三方弁（37）を切り換えているため、温水の流れを遮断させることなく、第１入口（21）から導入された温水を第１出口（22）へ確実に流すことができる。
【００６８】
続いて、図４に示すように、第２通路（40）の出口側三方弁（43）が第２状態に切り換えられると、第１入口（21）より導入された温水の一部が第１吸着熱交換器（32）を通った後、出口側分岐通路（35）を介して第２出口（24）へ流れると共に、残りが第１通路（30）からバイパス通路（36）へ分岐して第１出口（22）へ流れる。つまり、この状態では、第１吸着熱交換器（32）を通った温水が第２出口（24）へ流れ、第２吸着熱交換器（42）を通った冷水の全量が第１出口（22）へ流れる。
【００６９】
このように、第１通路（30）の出口側三方弁（33）を切り換えた後に第２通路（40）の出口側三方弁（43）を切り換えるので、冷水の流れが遮断される恐れがなくなる。つまり、各出口側三方弁（33,43）を同時に切り換える場合、例えば第１通路（30）の出口側三方弁（33）が作動不良等により切り換わらないと、冷水の流れが遮断される恐れがあるが、順次切り換えることにより、その切換対象の出口側三方弁（33,43）が作動不良等起こしても冷水を必ず第１出口（22）または第２出口（24）へ流すことができる。
【００７０】
そして、図５に示すように、第２通路（40）の入口側三方弁（41）が第２状態に切り換わると、水回路（20）が中間状態に切り換わる。これにより、第２入口（23）より導入された冷水は、入口側分岐通路（44）を通って第１通路（30）へ流れ、その後、第１入口（21）より導入された温水の一部と合流して第１吸着熱交換器（32）へ流れる。一方、上記第２吸着熱交換器（42）は、冷水および温水の何れも流通していない状態になる。この場合も、予め第１通路（30）の出口側三方弁（33）を切り換えていることから、万一第２通路（40）の入口側三方弁（41）が切換不良を起こしても冷水は第１出口（22）へ確実に流れるため、冷水の流れが遮断されて配管等が破裂する恐れはなくなる。
【００７１】
このように、各出口側三方弁（33,43）を各入口側三方弁（31,41）よりも先に切り換え、しかも第１通路（30）の出口側三方弁（33）を切り換えた後に第２通路（40）の出口側三方弁（43）を切り換えるようにしているため、この水流れの切換時において利用側である第２吸着熱交換器（42）へ冷水をできるだけ長く流通させることができる。これにより、除湿能力の低下を抑制することができる。
【００７２】
この中間状態において、第１吸着熱交換器（32）は、それまで流通していた温水による温熱が残存しているが、冷水が加わって流れることによって徐々に冷却される。その際、第２空気が冷却されて室外へ排出される。一方、上記第２吸着熱交換器（42）は、それまで流通していた冷水による冷熱が残存しているため、その残存する冷熱によって第１空気が冷却されて室内へ供給される。さらに、上記第２吸着熱交換器（42）は、温水が流れないことから、温水によって加熱されないため、第１空気の加熱を確実に防止できる。つまり、この中間状態では、第１サイクル動作から冷水の流れのみが次の第２サイクル動作用に切り換わる。
【００７３】
図６に示すように、上記水回路（20）は、中間状態に切り換わってから所定時間が経過すると、第１通路（30）の入口側三方弁（31）が第２状態に切り換えられると共に、空気の流れが切り換えられ、第２サイクル動作が行われる。つまり、第１空気としての室外空気（OA）が第１吸着熱交換器（32）へ流れ、第２空気としての室内空気（RA）が第２吸着熱交換器（42）へ流れるように空気流れが切り換わる。
【００７４】
上記第２吸着熱交換器（42）では、温水によって吸着剤および第２空気が加熱され、その際、該第２空気が加湿されて排出空気（EA）として室外へ排出される。一方、上記第１吸着熱交換器（32）では、冷水によって吸着剤および第１空気が冷却され、その際、該第１空気が除湿されて供給空気（SA）として室内へ供給される。ここで、第１サイクル動作で加熱された第１吸着熱交換器（32）は、中間状態の所定時間の間に、冷水によって冷却されている。したがって、切換後、第１吸着熱交換器（32）にて第１空気が加熱されて室内へ供給されることはないので、室内の快適性を損なうことはない。そして、上記水回路（20）は、図７に示すように、バイパス用三方弁（37）が第１状態に切り換えられ、第２サイクル動作を行う第２流れ状態への切換が完了する。
【００７５】
上記第２サイクル動作から第１サイクル動作への切換は、上述した切換と同様の要領で行われる。つまり、上記水回路（20）は、第２サイクル動作が所定時間行われると、バイパス用三方弁（37）が第２状態に切り換えられた後、第１通路（30）の出口側三方弁（33）、第２通路（40）の出口側三方弁（43）、第２通路（40）の入口側三方弁（41）、第１通路（30）の入口側三方弁（31）が順に第１状態に切り換えられる。そして、最後にバイパス用三方弁（37）が第１状態に切り換えられて、第１サイクル動作を行う第１流れ状態への切換が完了する。したがって、この場合においても、冷水および温水の流れが遮断されることはなく、配管等の破裂の恐れがなくなる。
【００７６】
次に、暖房加湿運転について説明する。この暖房加湿運転は、加湿した第２空気を室内へ供給する運転である。つまり、この運転の場合、室内空気（RA）が第１空気として取り込まれ、室外空気（OA）が第２空気として取り込まれる。
【００７７】
例えば、第１サイクル動作から第２サイクル動作へ切り換える際は、バイパス用三方弁（37）、第２通路（40）の出口側三方弁（43）、第１通路（30）の出口側三方弁（33）、第１通路（30）の入口側三方弁（31）、第２通路（40）の入口側三方弁（41）が順に第２状態に切り換えられる。そして、バイパス用三方弁（37）が第１状態に切り換えられて第２サイクル動作への切換が完了する。この場合においても、冷水および温水の流れが遮断されることはないため、配管等の破裂の恐れがなくなる。また、第２サイクル動作から第１サイクル動作への切換は、バイパス用三方弁（37）が第２状態に切り換えられた後、、第２通路（40）の出口側三方弁（43）、第１通路（30）の出口側三方弁（33）、第１通路（30）の入口側三方弁（31）、第２通路（40）の入口側三方弁（41）が順に第１状態に切り換えられ、バイパス用三方弁（37）が第１状態に切り換えられて第１サイクル動作への切換が完了する。
【００７８】
なお、本実施形態において、バイパス用三方弁（37）に代えて二方弁である開閉弁を用いるようにしてもよい。この場合、第１サイクル動作および第２サイクル動作中は二方弁を閉状態に設定し、第１サイクル動作および第２サイクル動作の切換中は二方弁を開状態に設定する。つまり、上記二方弁の閉状態がバイパス用三方弁（37）の第１状態に対応し、二方弁の開状態がバイパス用三方弁（37）の第２状態に対応するように二方弁を切り換える。
【００７９】
−実施形態１の効果−
以上説明したように、水流れの切換時に第１入口（21）と第１出口（22）とが繋がるバイパス通路（36）を設けるようにしたので、さらに各出口側分岐通路（35,45）が、水流れの切換時に各入口（21,23）が各出口（22,24）へ繋がるバイパス通路を兼ねるようにしたので、各種三方弁（31,33,41,43）が作動不良等を起こしても、第１入口（21）より導入された水を確実に第１出口（22）へ流すことができる。したがって、冷温水の流れが遮断されるのを防止することができる。これにより、配管や熱交換器（32,42）に対して高圧が作用するのを防止できる。
【００８０】
また、水流れの切換時に、各出口側三方弁（33,43）から先に切り換えるようにしているので、各熱交換器（32,42）に対して少しでも長い時間冷温水を流通させることができる。したがって、水流れの切換時において、空気の除加湿の能力低下を抑制できる。
【００８１】
さらに、冷房除湿運転の場合は、第１通路（30）の出口側三方弁（33）を切り換えた後に第２通路（40）の出口側三方弁（43）を切り換えるようにし、暖房加湿運転の場合は、第２通路（40）の出口側三方弁（43）を切り換えた後に第１通路（30）の出口側三方弁（33）を切り換えるようにしたので、利用側の熱交換器（32,42）に対して冷水および温水を少しでも長く流通させることができる。したがって、水流れの切換時における除加湿の能力低下を一層抑制することができる。
【００８２】
また、第１サイクル動作および第２サイクル動作の切換前に、冷水の流れのみを切り換える中間状態を所定時間の間切り換えてから空気流れを切り換えるようにしたので、それまで第２空気を加湿していた吸着熱交換器（32,42）を冷水によって冷却することができる。したがって、空気流れの切換直後、第１空気がその吸着熱交換器（32,42）で加熱されて室内へ供給されることはないので、快適性を向上させることができる。
【００８３】
また、中間状態において、第１空気が吸着熱交換器（32,42）に残存する冷熱によって冷却されるので、中間状態においても快適性を損なうことはない。さらに、中間状態において、温水が何れの吸着熱交換器（32,42）へも流れないため、第１空気を確実に冷却して室内へ供給することができる。この結果、快適性を一層向上させることができる。
【００８４】
《発明の実施形態２》
本実施形態２の調湿装置（10）は、上記実施形態１が水回路（20）の流路切換手段として各種三方弁（31,33,41・・・）を用いたのに代えて、複数の二方弁（3a,4a,3b,・・・）を用いるようにしたものである。
【００８５】
図８に示すように、第１通路（30）は、第１入口（21）側から順に、第１二方弁（3a）、第１吸着熱交換器（32）および第２二方弁（3b）が設けられている。上記第２通路（40）は、第２入口（23）側から順に、第１二方弁（4a）、第２吸着熱交換器（42）および第２二方弁（4b）が設けられている。そして、上記第１通路（30）および第２通路（40）には、実施形態１と同様に、入口側分岐通路（34,44）と出口側分岐通路（35,45）とが接続されている。
【００８６】
上記第１通路（30）の入口側分岐通路（34）は、途中に第３二方弁（3c）が設けられ、一端が第１通路（30）における第１二方弁（3a）の上流側に接続され、他端が第２通路（40）における第１二方弁（4a）と第２吸着熱交換器（42）との間に接続されている。そして、上記第１通路（30）の第１二方弁（3a）と入口側分岐通路（34）の第３二方弁（3c）とは、温水用の入口側切換手段を構成している。
【００８７】
上記第１通路（30）の出口側分岐通路（35）は、途中に第４二方弁（3d）が設けられ、一端が第１通路（30）における第１吸着熱交換器（32）と第２二方弁（3b）との間に接続され、他端が第２通路（40）における第２二方弁（4b）の下流側に接続されている。そして、上記出口側分岐通路（35）の第４二方弁（3d）と第２通路（40）の第２二方弁（4b）とは、冷水用の出口側切換手段を構成している。
【００８８】
上記第２通路（40）の入口側分岐通路（44）は、途中に第３二方弁（4c）が設けられ、一端が第２通路（40）における第１二方弁（4a）の上流側に接続され、他端が第１通路（30）における第１二方弁（3a）と第１吸着熱交換器（32）との間に接続されている。そして、上記第２通路（40）の第１二方弁（4a）と入口側分岐通路（44）の第３二方弁（4c）とは、冷水用の入口側切換手段を構成している。
【００８９】
上記第２通路（40）の出口側分岐通路（45）は、途中に第４二方弁（4d）が設けられ、一端が第２通路（40）における第２吸着熱交換器（42）と第２二方弁（4b）との間に接続され、他端が第１通路（30）における第２二方弁（3b）の下流側に接続されている。そして、上記第１通路（30）の第２二方弁（3b）と出口側分岐通路（45）の第４二方弁（4d）とは、温水用の出口側切換手段を構成している。つまり、上記水回路（20）には、８個の二方弁が用いられている。
【００９０】
次に、本実施形態における冷房除湿運転の動作について、図８〜図１２を参照しながら説明する。
【００９１】
先ず、図８に示すように、上記水回路（20）が第１サイクル動作を行う第１流れ状態に切り換えられる。具体的に、各第１二方弁（3a,4a）および各第２二方弁（3b,4b）が開状態に設定され、各第３二方弁（3c,4c）および各第４二方弁（3d,4d）が閉状態に設定される。なお、空気流れおよび冷温水の導入口は実施形態１と同様である。この状態で、第１入口（21）より導入された温水は、第１吸着熱交換器（32）で吸着剤および第２空気を加熱して第１出口（22）へ流れる。その際、第２空気の加湿が行われる。上記第２入口（23）より導入された冷水は、第２吸着熱交換器（42）で吸着剤および第１空気を冷却して第２出口（24）へ流れる。その際、第１空気の除湿が行われる。
【００９２】
上記水回路（20）は、第１サイクル動作が所定時間行われると、図９に示すように、各第４二方弁（3d,4d）が開状態に切り換えられる。この状態では、第１吸着熱交換器（32）を出た温水の一部が第１出口（22）へ流れると共に、残りが出口側分岐通路（35）を通って第２出口（24）へ流れる。また、上記第２吸着熱交換器（42）を出た冷水の一部が第１通路（30）の温水と合流して第２出口（24）へ流れると共に、残りが出口側分岐通路（45）を通って第１通路（30）の温水と合流して第１出口（22）へ流れる。すなわち、この状態では、第１入口（21）より導入された温水の出口へのルートが２つ確保され、第２入口（23）より導入された冷水の出口へのルートが２つ確保されることになる。
【００９３】
続いて、上記水回路（20）は、図１０に示すように、各第２二方弁（3b,4b）が閉状態に切り換えられる。この状態では、第１吸着熱交換器（32）を出た温水の全量が第２出口（24）へ流れ、第２吸着熱交換器（42）を出た冷水の全量が第１出口（22）へ流れる。ここで、各第２二方弁（3b,4b）が作動不良等を起こしても、予め冷水および温水の出口へのルートが２通り確保されているので、冷温水の流れが遮断されることはない。
【００９４】
続いて、上記水回路（20）は、図１１に示すように、各第３二方弁（3c,4c）がそれぞれ開状態に切り換えられる。この状態では、第１入口（21）より導入された温水の一部と第２入口（23）より導入された冷水の一部とが第１吸着熱交換器（32）を通って第２出口（24）へ流れる。また、第１入口（21）より導入された温水の残りと第２入口（23）より導入された冷水の残りとが第２吸着熱交換器（42）を通って第１出口（22）へ流れる。上記第１吸着熱交換器（32）は、冷水の流れが加わることにより多少は冷却される。一方、上記第２吸着熱交換器（42）は、温水の流れが加わることにより多少は加熱される。
【００９５】
図１２に示すように、上記水回路（20）は、上述した状態から各第１二方弁（3a,4a）がそれぞれ閉状態に設定されると共に、空気流れが切り換わり、第２サイクル動作を行う第２流れ状態へ切り換えられる。ここで、各第１二方弁（3a,4a）が作動不良等を起こしても、予め冷水および温水の出口へのルートが２通り確保されているので、冷温水の流れが遮断されることはない。この第２サイクル動作では、第１入口（21）より導入された温水が第２吸着熱交換器（42）で吸着剤および第２空気を加熱して第１出口（22）へ流れる。その際、第２空気の加湿が行われる。上記第２入口（23）より導入された冷水は、第１吸着熱交換器（32）で吸着剤および第１空気を冷却して第２出口（24）へ流れる。その際、第１空気の除湿が行われる。
【００９６】
上記第２サイクル動作から第１サイクル動作への切換は、図示しないが、各第２二方弁（3b,4b）が開状態に、各第４二方弁（3d,4d）が閉状態に順に切り換えられる。その後、各第１二方弁（3a,4a）が開状態に切り換えられた後、第３二方弁（3c,4c）が閉状態に切り換えられる。その際、第１空気が第２吸着熱交換器（42）へ流れ、第２空気が第１吸着熱交換器（32）へ流れるように空気流れが切り換わる。これで、第１サイクル動作への切換が完了する。このように、第１サイクル動作および第２サイクル動作が交互に切り換えられて冷房除湿運転が連続して行われる。
【００９７】
次に、暖房加湿運転について説明する。この暖房加湿運転は、室内空気（RA）が第１空気として取り込まれて除湿された後室外へ排出され、室外空気（OA）が第２空気として取り込まれて加湿された後室内へ供給される。つまり、例えば、第１サイクル動作では、第１空気が第２吸着熱交換器（42）へ流れ、第２空気が第１吸着熱交換器（32）へ流れる。そして、この暖房加湿運転では、上述した冷房除湿運転時と同様の切換動作が行われて、第１サイクル動作および第２サイクル動作が切り換えられる。その他の構成、作用および効果は実施形態１と同様である。
【００９８】
《発明の実施形態３》
本実施形態３の調湿装置（10）は、図１３に示すように、上記実施形態１の水回路（20）においてバイパス用三方弁（37）を有するバイパス通路（36）を第２通路（40）に追加したものである。つまり、本実施形態は、冷水用のバイパス通路（36）が温水用のバイパス通路（36）に加え、冷水用のバイパス通路（36）が追加されたものである。
【００９９】
上記バイパス通路（36）は、第１通路（30）のものと同様に、一端が第２通路（40）における入口側三方弁（41）よりも第２入口（23）側に接続され、他端が第２通路（40）における出口側三方弁（43）よりも第２出口（24）側に接続されている。上記バイパス用三方弁（37）は、第２入口（23）よりバイパス通路（36）へ流れた冷水が、そのまま第２出口（24）側へ向かって流れる第２状態（図１に破線で示す状態）と、再び第２通路（40）に戻る第１状態（図１に実線で示す状態）とに切り換わるように構成されている。
【０１００】
すなわち、上記バイパス通路（36）は、第２入口（23）より導入された冷水を第１吸着熱交換器（32）および第２吸着熱交換器（42）をバイパスさせてそのまま第２出口（24）へ流すことができるように構成されている。なお、本実施形態では、第１入口（21）より温水が固定的に導入され、第２入口（23）より冷水が固定的に導入される。したがって、本実施形態では、温水専用のバイパス通路（36）と、冷水専用のバイパス通路（36）とが設けられている。
【０１０１】
次に、本実施形態における冷房除湿運転の動作について、図１３〜図１７を参照しながら説明する。なお、ここでは、上述した実施形態１と異なる動作および作用についてのみ説明する。
【０１０２】
先ず、図１３に示すように、上記水回路（20）が第１サイクル動作を行うように切り換えられる。具体的に、２つのバイパス用三方弁（37）が共に第１状態に設定される。その後、図１４に示すように、２つのバイパス用三方弁（37）が第２状態に切り換えられる。
【０１０３】
続いて、図１５に示すように、各出口側三方弁（33,43）がほぼ同時に第２状態に切り換えられる。つまり、本実施形態では、上述したように、温水および冷水のそれぞれのバイパス通路（36）が設けられているため、各出口側三方弁（33,43）が作動不良を起こしても、温水および冷水の流れが遮断されるのを確実に防止することができる。したがって、配管等の破裂を防止できる。
【０１０４】
続いて、図１６に示すように、各入口側三方弁（31,41）がほぼ同時に第２状態に切り換えられる。この場合においても、各入口側三方弁（31,41）が作動不良を起こしても、上述したように、温水および冷水の流れが遮断されるのを確実に防止することができる。その後、図１７に示すように、２つのバイパス用三方弁（37）が共に第１状態に切り換えられて、第２サイクル動作への切換が完了する。このように、本実施形態の場合、切換動作のステップが少なくなるので、切換時間が短くなる。その他の構成、作用および効果は実施形態１と同様である。
【０１０５】
《発明の実施形態４》
本実施形態４の調湿装置（10）は、図１８および図１９に示すように、水回路（20）が温水のみ流れる回路に構成されている。具体的に、上記水回路（20）は、温水の入口（21）および出口（22）を１つずつ備えている。そして、上記水回路（20）は、実施形態１と同様の第１通路（30）と、実施形態１のものと構成を変更した第２通路（38）とを備えている。上記第１通路（30）は、入口（21）と出口（22）とを繋ぐものであり、入口（21）側から順に、入口側三方弁（31）、第１吸着熱交換器（32）および出口側三方弁（33）が設けられている。上記第２通路（38）は、途中に第２吸着熱交換器（42）を有し、入口側三方弁（31）と出口側三方弁（33）とに接続されている。
【０１０６】
上記水回路（20）は、入口側三方弁（31）および出口側三方弁（33）の切換により、図１８に示すように、入口（21）より導入された温水が第１吸着熱交換器（32）を通って出口（22）へ流れる第１サイクル動作（第１流れ状態）と、図１９に示すように、入口（21）より導入された温水が第２通路（38）へ流れて第２吸着熱交換器（42）を通った後、出口（22）へ流れる第２サイクル動作（第２流れ状態）とが交互に行われるように構成されている。つまり、上記入口側三方弁（31）および出口側三方弁（33）は、第１流れ状態と第２流れ状態とに温水流れを切り換える入口側切換手段および出口側切換手段を構成している。また、この調湿装置（10）は、冷房除湿運転と暖房加湿運転とが切換可能になっている。なお、図１８および図１９は、暖房加湿運転の動作を示すものである。
【０１０７】
例えば、暖房加湿運転の場合、温水が流れる第１吸着熱交換器（32）または第２吸着熱交換器（42）に室外空気（OA）を第２空気として取り込んで加湿した後、室内へ供給するように空気流れを切り換える（図１８および図１９参照）。また、冷房除湿運転の場合、図示しないが、温水が流れない第２吸着熱交換器（42）または第１吸着熱交換器（32）に室外空気（OA）を第１空気として取り込んで除湿した後、室内へ供給するように空気流れを切り換える。
【０１０８】
そして、上記水回路（20）は、バイパス通路（36）が設けられている。このバイパス通路（36）は、一端が第１通路（30）における入口側三方弁（31）よりも入口（21）側に接続され、他端が第１通路（30）における出口側三方弁（33）よりも出口（22）側に接続されている。このバイパス通路（36）には、バイパス遮断弁であるバイパス用二方弁（37）が設けられている。
【０１０９】
次に、暖房加湿運転時の第１サイクル動作から第２サイクル動作へ切換について説明する。先ず、第１サイクル動作が所定時間行われると、バイパス用二方弁（37）が開状態に切り換わる。続いて、出口側三方弁（33）を第２状態に切り換えてから入口側三方弁（41）を第２状態に切り換える。その後、バイパス用二方弁（37）を閉状態に切り換えると同時に空気流れを切り換える。
【０１１０】
このように、出口側三方弁（33）を入口側三方弁（31）よりも先に切り換えるようにしたので、第１吸着熱交換器（32）へ温水をできるだけ長く流すことができる。これにより、加湿能力の低下を抑制できる。ここで、予めバイパス用二方弁（37）を開いているので、出口側三方弁（33）を切り換えても、入口（21）より導入された温水をバイパス通路（36）を介して出口（22）へ確実に流すことができる。したがって、配管や熱交換器（32,42）に対して高圧が作用するのを防止できる。その他の構成、作用および効果は実施形態１と同様である。なお、本実施形態では、バイパス用二方弁（37）に三方弁を用いるようにしてもよいことは勿論である。
【０１１１】
−実施形態４の変形例−
本変形例は、図２０および図２１に示すように、上記実施形態４が水回路（20）を温水のみが流れる回路に構成したのに代えて、水回路（20）を冷水のみが流れる回路に構成したものである。さらに、本変形例は、上記実施形態４におけるバイパス通路（36）およびバイパス用二方弁（37）の設置位置を変更したものである。
【０１１２】
具体的に、上記水回路（20）は、入口側三方弁（31）および出口側三方弁（33）の切換により、入口（21）より導入された冷水が第１吸着熱交換器（32）を通って出口（22）へ流れる第１サイクル動作（図２０の状態）と、入口（21）より導入された冷水が第２通路（38）へ流れて第２吸着熱交換器（42）を通った後、出口（22）へ流れる第２サイクル動作（図２１の状態）とが交互に行われるように構成されている。また、この調湿装置（10）は、冷房除湿運転と暖房加湿運転とが切換可能になっている。なお、図２０および図２１は、冷房除湿運転の動作を示すものである。
【０１１３】
例えば、冷房除湿運転の場合、冷水が流れる第１吸着熱交換器（32）または第２吸着熱交換器（42）に室外空気（OA）を第１空気として取り込んで除湿した後、室内へ供給するように空気流れを切り換える（図２０および図２１参照）。また、暖房加湿運転の場合、図示しないが、冷水が流れない第２吸着熱交換器（42）または第１吸着熱交換器（32）に室外空気（OA）を第２空気として取り込んで加湿した後、室内へ供給するように空気流れを切り換える。
【０１１４】
上記バイパス通路（36）は、一端が第１通路（30）における第１吸着熱交換器（32）と出口側三方弁（33）との間に接続され、他端が第２通路（38）における第２吸着熱交換器（42）の下流側に接続されている。すなわち、このバイパス通路（36）は、第１吸着熱交換器（32）の下流側と第２吸着熱交換器（42）の下流側とに接続されている。そして、このバイパス通路（36）の途中には、バイパス遮断弁であるバイパス用二方弁（37）が設けられている。
【０１１５】
本変形例において、第１サイクル動作および第２サイクル動作の切換は、上記実施形態４と同様である。つまり、例えば冷房除湿運転時の第１サイクル動作から第２サイクル動作への切換において、出口側三方弁（33）を入口側三方弁（31）よりも先に切り換えるため、第１吸着熱交換器（32）へ冷水をできるだけ長く流すことができる。これにより、除湿能力の低下を抑制できる。ここで、予めバイパス用二方弁（37）を開いているので、出口側三方弁（33）を切り換えても、冷水の流れを遮断させることなく、第１吸着熱交換器（32）を出た冷水をバイパス通路（36）を介して第２通路（38）へ流し、出口側三方弁（33）を通じて出口（22）へ確実に流すことができる。したがって、配管や熱交換器（32,42）に対して高圧が作用するのを防止できる。
【０１１６】
なお、本実施形態では、バイパス通路（36）を第１吸着熱交換器（32）および第２吸着熱交換器（42）の上流側同士に接続してもよいし、上流側と下流側とに接続するようにしてもよい。
【０１１７】
《発明の実施形態５》
本実施形態５の調湿装置（10）は、図２２および図２３に示すように、実施形態１が流路切換手段として４つの三方弁（31,33,・・・）を用いるようにしたのに代えて、流路切換手段として２つの四方弁（3,4）を用いるようにしたものである。なお、本実施形態では、第１入口（21）より冷水が固定的に導入され、第２入口（23）より温水が固定的に導入される。
【０１１８】
具体的に、上記水回路（20）は、途中に第１吸着熱交換器（32）を有する第１通路（30）と、途中に第２吸着熱交換器（42）を有する第２通路（40）とを備えている。なお、本実施形態では、上記実施形態１における各種分岐通路（34,35,44,45）が省略されている。上記第１四方弁（3）は、第１通路（30）における第１吸着熱交換器（32）の第１入口（21）側と第２通路（40）における第２吸着熱交換器（42）の第２出口（24）側とに繋がっている。上記第２四方弁（4）は、第１通路（30）における第１吸着熱交換器（32）の第１出口（22）側と第２通路（40）における第２吸着熱交換器（42）の第２入口（23）側とに繋がっている。
【０１１９】
上記第１四方弁（3）は、第１入口（21）と第１吸着熱交換器（32）の一端とが連通すると共に第２吸着熱交換器（42）の一端と第２出口（24）とが連通する状態（図２２に実線で示す状態）と、第１入口（21）と第２吸着熱交換器（42）の一端とが連通すると共に第１吸着熱交換器（32）の一端と第２出口（24）とが連通する状態（図２３に実線で示す状態）とが切り換わるように構成されている。上記第２四方弁（4）は、第１吸着熱交換器（32）の他端と第１出口（22）とが連通すると共に第２入口（23）と第２吸着熱交換器（42）の他端とが連通する状態（図２２に実線で示す状態）と、第２入口（23）と第１吸着熱交換器（32）の他端とが連通すると共に第２吸着熱交換器（42）の他端と第１出口（22）とが連通する状態（図２３に実線で示す状態）とが切り換わるように構成されている。
【０１２０】
すなわち、上記水回路（20）は、第１四方弁（3）および第２四方弁（4）が図２２の実線で示す状態に切り換わると、冷水が第１吸着熱交換器（32）を通って第１出口（22）へ流れ、温水が第２吸着熱交換器（42）を通って第２出口（24）へ流れる第１サイクル動作を行う。その際、第１吸着熱交換器（32）で第１空気の除湿が行われ、第２吸着熱交換器（42）で第２空気の加湿が行われる。また、上記水回路（20）は、第１四方弁（3）および第２四方弁（4）が図２３の実線で示す状態に切り換わると、冷水が第２吸着熱交換器（42）を通って第１出口（22）へ流れ、温水が第１吸着熱交換器（32）を通って第２出口（24）へ流れる第２サイクル動作を行う。その際、第１吸着熱交換器（32）で第２空気の加湿が行われ、第２吸着熱交換器（42）で第１空気の除湿が行われる。
【０１２１】
上記調湿装置（10）は、冷房除湿運転と暖房加湿運転とが切換可能になっている。なお、図２０および図２１は、暖房加湿運転の動作を示すものである。
【０１２２】
例えば、暖房加湿運転の場合、温水が流れる第１吸着熱交換器（32）または第２吸着熱交換器（42）に室外空気（OA）を第２空気として取り込んで加湿した後、室内へ供給するように空気流れを切り換える（図２２および図２３参照）。また、冷房除湿運転の場合、図示しないが、冷水が流れる第２吸着熱交換器（42）または第１吸着熱交換器（32）に室外空気（OA）を第１空気として取り込んで除湿した後、室内へ供給するように空気流れを切り換える。
【０１２３】
また、上記水回路（20）には、２つのバイパス通路（36）が設けられている。このバイパス通路（36）は、第１通路（30）において、第１四方弁（3）より第１入口（21）側と第２四方弁（4）より第１出口（22）側との間に接続されている。もう１つのバイパス通路（36）は、第２通路（40）において、第１四方弁（3）より第２出口（24）側と第２四方弁（4）より第２入口（23）側との間に接続されている。
【０１２４】
上記各バイパス通路（36）には、バイパス遮断弁であるバイパス用二方弁（37）が設けられている。この各バイパス用二方弁（37）は、第１四方弁（3）および第２四方弁（4）を切り換える前に閉状態から開状態に切り換わるように構成されている。これにより、第１サイクル動作および第２サイクル動作の切換時に、例えば、第１四方弁（3）および第２四方弁（4）が共に作動不良によって中間開度状態となった場合でも、冷水および温水は各バイパス通路（36）を通って第１出口（22）および第２出口（24）へ流れるため、冷水および温水の流れが遮断されることはない。したがって、配管等の破裂を防止することができる。その他の構成、作用および効果は実施形態１と同様である。なお、本実施形態では、バイパス用二方弁（37）に三方弁を用いるようにしてもよいことは勿論である。
【０１２５】
《参考形態１》
この参考形態１の調湿装置（10）は、図２４および図２５に示すように、実施形態１が水回路（20）にバイパス通路（36）およびバイパス用三方弁（37）を設けるようにしたのに代えて、２つのバッファタンク（39,49）を設けるようにしたものである。なお、図２４および図２５は、冷房除湿運転時の第１サイクル動作および第２サイクル動作を示す。
【０１２６】
上記各バッファタンク（39,49）は、第１通路（30）および第２通路（40）にそれぞれ設けられている。上記第１通路（30）のバッファタンク（39）は、第１吸着熱交換器（32）の上流側に設けられ、第２通路（40）の入口側分岐通路（44）と繋がっている。上記第２通路（40）のバッファタンク（49）は、第２吸着熱交換器（42）の上流側に設けられ、第１通路（30）の入口側分岐通路（34）と繋がっている。すなわち、この各バッファタンク（39,49）は、各出口側三方弁（33,43）の上流側に設けられ、少なくとも水流れの切換時に各入口（21,23）に連通する通路に設けられている。
【０１２７】
上記バッファタンク（39,49）は、所定容積を有する緩衝容器を構成している。したがって、例えば、第１通路（30）において第１サイクル動作から第２サイクル動作への切換時に、出口側三方弁（33）は第２状態に正常に切り換わり、入口側三方弁（31）は作動不良を起こした場合、第１入口（21）より導入された温水がバッファタンク（39）に貯留される。一方、第２通路（40）においても、例えば、出口側三方弁（43）は第２状態に正常に切り換わり、入口側三方弁（41）は作動不良を起こした場合、第２入口（23）より導入された冷水がバッファタンク（49）に貯留される。これにより、水流れの遮断により発生する高圧が抑制される。この結果、配管等を高圧から保護することができる。
【０１２８】
さらに、上記バッファタンク（39,49）は、全ての三方弁（31,33,・・・）の切換が正常に行われた場合、その切換により冷温水の流れが急激に切り換わるが、その水撃を吸収することができる。したがって、水流れの切換時において、配管等を水撃から保護できる。
【０１２９】
なお、この参考形態では、各バッファタンク（39,49）を第１吸着熱交換器（32）および第２吸着熱交換器（42）の上流側に設けるようにしたが、これに限らず、例えば各吸着熱交換器（32,42）の下流側に設けるようにしてもよいし、一方の吸着熱交換器（32,42）の上流側と他方の吸着熱交換器（42,32）の下流側とに設けるようにしてもよい。
【０１３０】
《参考形態２》
この参考形態２の調湿装置（10）は、図２６および図２７に示すように、実施形態４が水回路（20）にバイパス通路（36）およびバイパス用三方弁（37）を設けるようにしたのに代えて、２つのバッファタンク（39,49）を設けるようにしたものである。なお、図２６および図２７は、暖房加湿運転時の第１サイクル動作および第２サイクル動作を示す。
【０１３１】
上記各バッファタンク（39,49）は、第１通路（30）および第２通路（38）にそれぞれ設けられている。上記第１通路（30）のバッファタンク（39）は、第１吸着熱交換器（32）と入口側三方弁（31）との間に設けられている。上記第２通路（40）のバッファタンク（49）は、第２吸着熱交換器（42）の上流側に設けられている。すなわち、この各バッファタンク（39,49）は、出口側三方弁（33）の上流側に設けられ、少なくとも水流れの切換時に入口（21）に連通する通路に設けられている。
【０１３２】
上記バッファタンク（39,49）は、所定容積を有する緩衝容器を構成している。したがって、例えば、第１サイクル動作から第２サイクル動作への切換時に、出口側三方弁（33）は第２状態に正常に切り換わり、入口側三方弁（31）は作動不良を起こした場合、第１入口（21）より導入された温水が第１通路（30）のバッファタンク（39）に貯留される。
【０１３３】
逆に、入口側三方弁（41）は第２状態に正常に切り換わり、出口側三方弁（43）が作動不良を起こした場合、第１入口（21）より導入された温水が第２通路（38）のバッファタンク（49）に貯留される。
【０１３４】
したがって、水流れの遮断によって発生する高圧がバッファタンク（39）に吸収され、配管等内の高圧が抑制される。これにより、水流れの遮断により発生する高圧が抑制される。この結果、配管等を高圧から保護することができる。
【０１３５】
さらに、上記バッファタンク（39,49）は、全ての三方弁（31,33,・・・）の切換が正常に行われた場合、その切換により冷温水の流れが急激に切り換わるが、その水撃を吸収することができる。したがって、水流れの切換時において、配管等を水撃から保護できる。
【０１３６】
なお、この参考形態では、各バッファタンク（39,49）を第１吸着熱交換器（32）および第２吸着熱交換器（42）の上流側に設けるようにしたが、これに限らず、例えば各吸着熱交換器（32,42）の下流側に設けるようにしてもよいし、一方の吸着熱交換器（32,42）の上流側と他方の吸着熱交換器（42,32）の下流側とに設けるようにしてもよい。
【０１３７】
《発明の実施形態６》
本実施形態６の調湿装置（10）は、図２８に示すように、実施形態１において水回路（20）を２つ並列に接続するようにしたものである。また、本実施形態では、２つの水回路（20a,20b）に共通の冷温水の各入口（21,23）および出口（22,24）が１組ずつ設けられている。つまり、第１入口（21）より導入された温水および第２入口（23）より導入された冷水が第１水回路（20a）と第２水回路（20b）とに分岐して流れる。
【０１３８】
この調湿装置（10）は、第１水回路（20a）および第２水回路（20b）で冷房除湿運転と暖房加湿運転とが切り換わる。つまり、第１水回路（20a）と第２水回路（20b）とは、別個独立に冷房除湿運転および暖房加湿運転を切り換えて行うことができる。この場合も、各水回路（20a,20b）において、第１サイクル動作および第２サイクル動作の切換時において、冷温水の流れが遮断される恐れはない。その他の構成、作用および効果は実施形態１と同様である。
【０１３９】
《その他の実施形態》
例えば、上記実施形態１または３の水回路（20）において、バイパス通路（36）の設置位置を実施形態４の変形例のように、第１吸着熱交換器（32）の上流側および下流側の何れかと、第２吸着熱交換器（42）の上流側および下流側の何れかとに接続するようにしてもよい。その場合、バイパス用三方弁（37）は、二方弁に構成される。
【０１４０】
なお、以上の実施形態は、本質的に好ましい例示であって、本発明、その適用物、あるいはその用途の範囲を制限することを意図するものではない。
【産業上の利用可能性】
【０１４１】
以上説明したように、本発明は、吸着熱交換器を有する水回路を備えた調湿装置として有用である。
【図面の簡単な説明】
【０１４２】
【図１】実施形態１に係る調湿装置の水回路を示す配管系統図である。
【図２】実施形態１に係る冷房除湿運転時の水回路を示す配管系統図である。
【図３】実施形態１に係る冷房除湿運転時の水回路を示す配管系統図である。
【図４】実施形態１に係る冷房除湿運転時の水回路を示す配管系統図である。
【図５】実施形態１に係る冷房除湿運転時の水回路を示す配管系統図である。
【図６】実施形態１に係る冷房除湿運転時の水回路を示す配管系統図である。
【図７】実施形態１に係る冷房除湿運転時の水回路を示す配管系統図である。
【図８】実施形態２に係る調湿装置の水回路を示す配管系統図である。
【図９】実施形態２に係る冷房除湿運転時の水回路を示す配管系統図である。
【図１０】実施形態２に係る冷房除湿運転時の水回路を示す配管系統図である。
【図１１】実施形態２に係る冷房除湿運転時の水回路を示す配管系統図である。
【図１２】実施形態２に係る冷房除湿運転時の水回路を示す配管系統図である。
【図１３】実施形態３に係る調湿装置の水回路を示す配管系統図である。
【図１４】実施形態３に係る冷房除湿運転時の水回路を示す配管系統図である。
【図１５】実施形態３に係る冷房除湿運転時の水回路を示す配管系統図である。
【図１６】実施形態３に係る冷房除湿運転時の水回路を示す配管系統図である。
【図１７】実施形態３に係る冷房除湿運転時の水回路を示す配管系統図である。
【図１８】実施形態４に係る調湿装置の水回路を示す配管系統図である。
【図１９】実施形態４に係る調湿装置の水回路を示す配管系統図である。
【図２０】実施形態４の変形例に係る調湿装置の水回路を示す配管系統図である。
【図２１】実施形態４の変形例に係る調湿装置の水回路を示す配管系統図である。
【図２２】実施形態５に係る調湿装置の水回路を示す配管系統図である。
【図２３】実施形態５に係る調湿装置の水回路を示す配管系統図である。
【図２４】参考形態１に係る調湿装置の水回路を示す配管系統図である。
【図２５】参考形態１に係る調湿装置の水回路を示す配管系統図である。
【図２６】参考形態２に係る調湿装置の水回路を示す配管系統図である。
【図２７】参考形態２に係る調湿装置の水回路を示す配管系統図である。
【図２８】実施形態６に係る調湿装置の水回路を示す配管系統図である。
【符号の説明】
【０１４３】
10        調湿装置
20        水回路
21,23     第１入口，第２入口
22,24     第１出口，第２出口
31,41     入口側三方弁（入口側切換手段）
33,43     出口側三方弁（出口側切換手段）
32        第１吸着熱交換器（第１熱交換器）
36        バイパス通路、入口側分岐通路、出口側分岐通路
37        バイパス用三方弁、バイパス用二方弁（バイパス遮断弁）
39,49     バッファタンク
42        第２吸着熱交換器（第２熱交換器）